(57)【要約】【課題】同一呼出エリアグループ内の無線端末への発信から通信確立までの処理動作を確実に実現する。【解決手段】基地局集線ゲートウェイ４及びＩＰ基地局５をＩＰネットワーク６に接続し、無線端末の位置情報を、基地局集線ゲートウェイ又はＩＰ基地局のＩＰアドレスで登録管理する端末管理サーバ７とを有し、任意の基地局集線ゲートウェイ及び／又はＩＰ基地局で構成する呼出エリアグループを設定し、発信端末８から無線端末への発信操作を検出すると、無線端末の位置情報に対応する基地局集線ゲートウェイ又はＩＰ基地局の属する呼出エリアグループ内の全ての基地局集線ゲートウェイ及び／又はＩＰ基地局に対して、無線端末への着信メッセージの発報を指示すべく、発信メッセージを報知すると共に、着信メッセージに対する無線端末からの着信応答メッセージを受信した基地局集線ゲートウェイ又はＩＰ基地局を通じて無線端末との通信を確立するようにした。【選択図】図１
2008311716.tif 000002
【特許請求の範囲】
【請求項１】
無線端末を無線収容可能にする基地局を収容する基地局集線ゲートウェイと、前記無線端末を無線収容可能にするＩＰ基地局と、前記基地局集線ゲートウェイ及び前記ＩＰ基地局をＩＰネットワークに接続し、前記無線端末の位置情報を、前記基地局集線ゲートウェイ又は前記ＩＰ基地局のＩＰアドレスで登録管理する端末管理サーバとを有するＩＰ通信システムであって、
このＩＰ通信システム内の全ての前記基地局集線ゲートウェイ及び前記ＩＰ基地局の内、任意の基地局集線ゲートウェイ及び／又はＩＰ基地局の呼出エリア群を同一呼出エリアとする呼出エリアグループを、前記基地局集線ゲートウェイ又は前記ＩＰ基地局毎に設定するグループ設定手段と、
前記無線端末への発信操作を検出すると、この無線端末の位置情報に対応する前記基地局集線ゲートウェイ又は前記ＩＰ基地局の所属する前記呼出エリアグループ内の全ての基地局集線ゲートウェイ及び／又はＩＰ基地局に対して、前記無線端末への着信メッセージの発報を指示すべく、発信メッセージを報知する発信報知手段と、
前記呼出エリアグループ内の全ての基地局集線ゲートウェイ及び／又はＩＰ基地局の内、前記着信メッセージに対する前記無線端末からの応答メッセージを受信した前記基地局集線ゲートウェイ又はＩＰ基地局を通じて前記無線端末との通信を確立する通信確立手段とを有することを特徴とするＩＰ通信システム。
【請求項２】
前記無線端末毎に、同無線端末の電話番号と、同無線端末の位置情報に対応する前記基地局集線ゲートウェイ又は前記ＩＰ基地局のＩＰアドレスとを対応付けて登録管理する位置情報管理手段を有し、
前記発信報知手段は、
前記無線端末への発信操作を検出すると、この無線端末の電話番号に対応する同無線端末の位置情報である前記基地局集線ゲートウェイ又は前記ＩＰ基地局のＩＰアドレスを前記位置情報管理手段から検索し、同ＩＰアドレスに関わる前記基地局集線ゲートウェイ又は前記ＩＰ基地局が所属する前記呼出エリアグループ内の全ての前記基地局集線ゲートウェイ及び／又はＩＰ基地局に対して、前記発信メッセージを報知することを特徴とする請求項１記載のＩＰ通信システム。
【請求項３】
前記ＩＰ基地局又は前記基地局集線ゲートウェイ毎に、自己に割り当てられたＩＰアドレスと、自己が所属する前記呼出エリアグループのグループ番号とを対応付けて登録管理するグループ管理手段を有し、
前記発信報知手段は、
前記無線端末の位置情報である前記基地局集線ゲートウェイ又は前記ＩＰ基地局のＩＰアドレスを前記位置情報管理手段から検索し、同ＩＰアドレスに対応する前記基地局集線ゲートウェイ又は前記ＩＰ基地局が所属する前記呼出エリアグループのグループ番号を前記グループ管理手段から検索し、このグループ番号と同一の呼出エリアグループ内の全ての前記基地局集線ゲートウェイ及び／又は前記ＩＰ基地局のＩＰアドレスを前記グループ管理手段から検索し、このＩＰアドレスに基づき、同呼出エリアグループ内の全ての前記基地局集線ゲートウェイ及び／又は前記ＩＰ基地局に対して、前記発信メッセージを報知することを特徴とする請求項２記載のＩＰ通信システム。
【請求項４】
前記発信報知手段は、
前記ＩＰネットワークに接続する発信端末又は発信側ゲートウェイと、前記端末管理サーバとを有し、
前記発信端末又は前記発信側ゲートウェイは、
前記無線端末への発信操作を検出すると、同無線端末の電話番号に対応する位置情報のＩＰアドレスを要求するアドレス要求を前記端末管理サーバに送信するアドレス要求手段を有し、
前記端末管理サーバは、
前記位置情報管理手段及び前記グループ管理手段を内部に備え、
前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、
この位置情報検索手段にて検索したＩＰアドレスに関わる前記基地局集線ゲートウェイ又は前記ＩＰ基地局が所属する呼出エリアグループのグループ番号を前記グループ管理手段から検索し、このグループ番号と同一の呼出エリアグループ内の全ての前記基地局集線ゲートウェイ及び／又は前記ＩＰ基地局のＩＰアドレスを前記グループ管理手段から検索するグループ検索手段と、
このグループ検索手段にて検索した同呼出エリアグループ内の全ての基地局集線ゲートウェイ及び／又はＩＰ基地局のＩＰアドレスを、前記アドレス要求を送信した前記発信端末又は前記発信側ゲートウェイに通知するＩＰアドレス通知手段とを有し、
前記発信端末又は前記発信側ゲートウェイは、
前記端末管理サーバ側の前記ＩＰアドレス通知手段からＩＰアドレスを受信すると、このＩＰアドレスに基づき、前記無線端末への着信メッセージの発報を指示すべく、同呼出エリアグループ内の全ての基地局集線ゲートウェイ及び／又はＩＰ基地局に対して、前記発信メッセージを報知する発信メッセージ報知手段を有することを特徴とする請求項３記載のＩＰ通信システム。
【請求項５】
前記発信報知手段は、
前記ＩＰネットワークに接続する発信端末又は発信側ゲートウェイと、前記端末管理サーバとを有し、
前記発信端末又は前記発信側ゲートウェイは、
前記グループ管理手段を内部に備え、
前記無線端末への発信操作を検出すると、同無線端末の電話番号に対応する位置情報のＩＰアドレスを要求するアドレス要求を前記端末管理サーバに送信するアドレス要求手段を有し、
前記端末管理サーバは、
前記位置情報管理手段を内部に備え、
前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、
この位置情報検索手段にて検索した前記基地局集線ゲートウェイ又はＩＰ基地局のＩＰアドレスを、前記アドレス要求を送信した前記発信端末又は発信側ゲートウェイに通知するＩＰアドレス通知手段とを有し、
前記発信端末又は発信側ゲートウェイは、
前記端末管理サーバ側の前記ＩＰアドレス通知手段からＩＰアドレスを受信すると、このＩＰアドレスに関わる基地局集線ゲートウェイ又はＩＰ基地局が所属する呼出エリアグループのグループ番号を前記グループ管理手段から検索し、このグループ番号と同一の呼出エリアグループ内の全ての前記基地局集線ゲートウェイ及び／又はＩＰ基地局のＩＰアドレスを、前記グループ管理手段から検索するグループ検索手段と、
このグループ検索手段にて検索した同呼出エリアグループ内の全ての基地局集線ゲートウェイ及び／又はＩＰ基地局のＩＰアドレスに基づき、前記無線端末への着信メッセージの発報を指示すべく、同呼出エリアグループ内の全ての基地局集線ゲートウェイ及び／又はＩＰ基地局に対して、前記発信メッセージを報知する発信メッセージ報知手段を有することを特徴とする請求項３記載のＩＰ通信システム。
【請求項６】
前記発信報知手段は、
前記ＩＰネットワークに接続する発信端末又は発信側ゲートウェイと、前記端末管理サーバと、前記基地局集線ゲートウェイ又は前記ＩＰ基地局とを有し、
前記発信端末又は前記発信側ゲートウェイは、
前記無線端末への発信操作を検出すると、同無線端末の電話番号に対応する位置情報のＩＰアドレスを要求するアドレス要求を前記端末管理サーバに送信するアドレス要求手段を有し、
前記端末管理サーバは、
前記位置情報管理手段を内部に備え、
前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、
この位置情報検索手段にて検索した前記基地局集線ゲートウェイ又はＩＰ基地局のＩＰアドレスを、前記アドレス要求を送信した前記発信端末又は発信側ゲートウェイに通知するＩＰアドレス通知手段とを有し、
前記発信端末又は発信側ゲートウェイは、
前記端末管理サーバ側の前記ＩＰアドレス通知手段からＩＰアドレスを受信すると、このＩＰアドレスに基づき、前記無線端末への着信メッセージの発報を指示すべく、同ＩＰアドレスの基地局集線ゲートウェイ又はＩＰ基地局に対して、前記発信メッセージを報知する発信メッセージ報知手段を有し、
前記基地局集線ゲートウェイ又は前記ＩＰ基地局は、
自己が所属する呼出エリアグループ内の他の全ての基地局集線ゲートウェイ及び／又はＩＰ基地局のＩＰアドレスを管理するグループ内アドレス管理手段と、
前記発信端末又は発信側ゲートウェイの前記発信メッセージ報知手段から前記発信メッセージを受信すると、前記グループ内アドレス管理手段に管理中の全ＩＰアドレスに基づき、前記無線端末への着信メッセージの発報を指示すべく、前記発信端末又は発信側ゲートウェイからの前記発信メッセージを、同一呼出エリアグループ内の前記基地局集線ゲートウェイ及び／又はＩＰ基地局に対して中継する中継手段とを有することを特徴とする請求項２記載のＩＰ通信システム。
【請求項７】
前記中継手段は、
前記着信メッセージに対する前記無線端末からの応答メッセージを同一呼出エリアグループ内の他の基地局集線ゲートウェイ又はＩＰ基地局が受信した場合、同基地局集線ゲートウェイ又はＩＰ基地局にて受信した前記無線端末からの応答メッセージを、前記発信端末又は前記発信側ゲートウェイに対して中継することを特徴とする請求項６記載のＩＰ通信システム。
【請求項８】
前記中継手段は、
前記基地局集線ゲートウェイ又は前記ＩＰ基地局と、前記発信端末又は前記発信側ゲートウェイとの間で、前記応答メッセージ受信後の通信確立から通信終了までの全ての制御メッセージを中継することを特徴とする請求項７記載のＩＰ通信システム。
【請求項９】
前記中継手段は、
前記基地局集線ゲートウェイ又は前記ＩＰ基地局と、前記発信端末又は前記発信側ゲートウェイとの間の通信に使用するＩＰアドレス及びポート番号をそのまま透過して、前記全ての制御メッセージを中継することを特徴する請求項８記載のＩＰ通信システム。
【請求項１０】
前記中継手段は、
前記基地局集線ゲートウェイ又は前記ＩＰ基地局と、前記発信端末又は前記発信側ゲートウェイとの間の通信に使用するＩＰアドレス及びポート番号を自己のＩＰアドレス及びポート番号に置き換えて、前記全ての制御メッセージを中継することを特徴とする請求項８記載のＩＰ通信システム。
【請求項１１】
前記発信報知手段は、
前記ＩＰネットワークに接続する発信端末又は発信側ゲートウェイと、前記端末管理サーバと、前記基地局集線ゲートウェイ又は前記ＩＰ基地局とを有し、
前記発信端末又は前記発信側ゲートウェイは、
前記無線端末への発信操作を検出すると、同無線端末の電話番号に対応する位置情報のＩＰアドレスを要求するアドレス要求を前記端末管理サーバに送信するアドレス要求手段を有し、
前記端末管理サーバは、
前記位置情報管理手段を内部に備え、
前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、
この位置情報検索手段にて検索した前記基地局集線ゲートウェイ又はＩＰ基地局のＩＰアドレスを、前記アドレス要求を送信した前記発信端末又は発信側ゲートウェイに通知するＩＰアドレス通知手段とを有し、
前記発信端末又は発信側ゲートウェイは、
前記端末管理サーバ側の前記ＩＰアドレス通知手段からＩＰアドレスを受信すると、このＩＰアドレスに基づき、前記無線端末への着信メッセージの発報を指示すべく、同ＩＰアドレスの基地局集線ゲートウェイ又はＩＰ基地局に対して、前記発信メッセージを報知する発信メッセージ報知手段を有し、
前記基地局集線ゲートウェイ又は前記ＩＰ基地局は、
自己が所属する呼出エリアグループ内の他の全ての基地局集線ゲートウェイ及び／又はＩＰ基地局のＩＰアドレスを管理するグループ内アドレス管理手段と、
前記発信端末又は発信側ゲートウェイの前記発信メッセージ報知手段から前記発信メッセージを受信すると、前記グループ内アドレス管理手段に管理中の全ＩＰアドレスに基づき、前記無線端末への着信メッセージの発報を指示すべく、前記発信メッセージを、同一呼出エリアグループ内の前記基地局集線ゲートウェイ及び／又はＩＰ基地局に対して代理発信する代理通信手段とを有し、
前記代理通信手段は、
前記着信メッセージに対する前記無線端末からの応答メッセージを同一呼出エリアグループ内の他の基地局集線ゲートウェイ又はＩＰ基地局が受信した場合、前記発信メッセージを報知した前記発信端末又は発信側ゲートウェイに対して発信メッセージの再発信を要求する再発信要求メッセージを送信する再発信要求手段を有し、
前記発信端末又は発信側ゲートウェイは、
前記基地局集線ゲートウェイ又は前記ＩＰ基地局側の再発信要求手段からの再発信要求メッセージを受信すると、前記無線端末からの応答メッセージを受信した前記基地局集線ゲートウェイ又はＩＰ基地局に対して、同無線端末との通信を確立すべく、前記発信メッセージ報知手段を通じて前記発信メッセージを再報知することを特徴とする請求項２記載のＩＰ通信システム。
【請求項１２】
前記基地局集線ゲートウェイ又は前記ＩＰ基地局は、
前記着信メッセージに対する前記無線端末からの応答メッセージを受信した場合、自己のＩＰアドレスを同無線端末の位置情報として登録要求する位置登録要求を前記端末管理サーバに送信する位置登録要求手段を有し、
前記端末管理サーバは、
前記基地局集線ゲートウェイ又は前記ＩＰ基地局側の前記位置登録要求手段から位置登録要求を受信すると、同基地局集線ゲートウェイ又はＩＰ基地局のＩＰアドレスを同無線端末の位置情報として前記位置情報管理手段に登録更新する位置情報登録手段を有し、
前記発信端末又は発信側ゲートウェイは、
前記基地局集線ゲートウェイ又は前記ＩＰ基地局側の前記再発信要求手段から前記再発信要求メッセージを受信すると、前記アドレス要求手段を通じて、前記応答メッセージに関わる前記無線端末の電話番号に対応する位置情報としてのＩＰアドレスを要求するアドレス要求を前記端末管理サーバに送信し、
この端末管理サーバは、
前記発信端末又は発信側ゲートウェイ側の前記アドレス要求手段から前記アドレス要求を受信すると、前記位置情報検索手段を通じて、同無線端末の電話番号に対応する、同無線端末の位置情報である前記基地局集線ゲートウェイ又は前記ＩＰ基地局のＩＰアドレスを前記位置情報管理手段から検索し、前記ＩＰアドレス通知手段を通じて、この検索結果のＩＰアドレスを、前記アドレス要求を送信した前記発信端末又は前記発信側ゲートウェイに通知し、
この発信端末又は発信側ゲートウェイの前記発信メッセージ報知手段は、
前記端末管理サーバ側の前記ＩＰアドレス通知手段からの前記ＩＰアドレスを受信すると、このＩＰアドレスに基づき、前記無線端末の応答メッセージを受信した前記基地局集線ゲートウェイ又は前記ＩＰ基地局に対して発信メッセージを再報知し、
前記無線端末の応答メッセージを受信した前記基地局集線ゲートウェイ又は前記ＩＰ基地局は、
前記発信端末又は発信側ゲートウェイ側の前記発信メッセージ報知手段から再報知された前記発信メッセージを受信すると、前記応答メッセージを報知した前記無線端末と前記発信端末又は発信側ゲートウェイとの間の通信を確立することを特徴とする請求項１１記載のＩＰ通信システム。
【発明の詳細な説明】
【技術分野】
【０００１】
本発明は、無線端末を無線収容可能にする基地局を収容する基地局集線ゲートウェイと、前記無線端末を無線収容可能にするＩＰ基地局と、前記基地局集線ゲートウェイ及び前記ＩＰ基地局をＩＰネットワークに接続し、前記無線端末の位置情報を、前記基地局集線ゲートウェイ又は前記ＩＰ基地局のＩＰアドレスで登録管理する端末管理サーバとを有するＩＰ通信システムに関する。
【背景技術】
【０００２】
従来、このようなＩＰ通信システムとしては、無線端末を無線収容可能にする複数台の基地局を収容する基地局集線ゲートウェイと、無線端末を無線収容可能にするＩＰ基地局と、基地局集線ゲートウェイ及びＩＰ基地局をＩＰネットワークに接続し、無線端末の位置情報を管理する端末管理サーバとを有し、この端末管理サーバが、無線端末を無線収容するＩＰ基地局のＩＰアドレス、又は、複数台の基地局の内、無線端末を無線収容する基地局を収容する基地局集線ゲートウェイのＩＰアドレスで、前記無線端末の位置情報を登録管理する技術が広く知られている（例えば特許文献１参照）。
【０００３】
このような従来のＩＰ通信システムによれば、無線端末の位置情報をＩＰ基地局又は基地局集線ゲートウェイのＩＰアドレスで登録管理することになるため、例えば基地局集線ゲートウェイに収容する基地局の台数を増やすことで呼出エリアの拡大を図ることができる。
【０００４】
しかしながら、基地局集線ゲートウェイに収容する基地局の台数を増やすことで呼出エリアの拡大を図るにしても、１台の基地局集線ゲートウェイで収容できる基地局台数には制限があるため、大規模ネットワークシステムを構築する場合、基地局集線ゲートウェイの台数を増やすことで対応しているのが現状である。
【０００５】
しかしながら、基地局集線ゲートウェイの台数を増やすことで大規模ネットワークを構築することになるが、無線端末の位置情報は基地局集線ゲートウェイのＩＰアドレスで管理しているため、基地局集線ゲートウェイの台数を増やすと、基地局集線ゲートウェイの呼出エリア間の境界線が増えることになるため、無線端末の不要な位置登録動作回数が増えて、無線端末の位置登録トラフィックが高くなってしまう。
【０００６】
そこで、本出願人は、無線端末の不要な位置登録動作回数を抑制するために、単一の基地局集線ゲートウェイが管轄する呼出エリア単位で無線端末の位置情報を管理するのではなく、例えば複数台の基地局集線ゲートウェイが管轄する呼出エリア群を同一呼出エリアとして、これら複数台の基地局集線ゲートウェイで構成する呼出エリアグループを設定し、無線端末の位置情報をグループ単位で管理し、同一呼出エリアグループ内で無線端末の移動が生じたとしても位置登録動作を行わず、無線端末の位置情報を登録する位置登録動作の処理負担を大幅に軽減した技術内容を考案している。
【０００７】
尚、呼出エリアグループは、複数台の基地局集線ゲートウェイのみで構成するだけでなく、基地局集線ゲートウェイの他にＩＰ基地局を含めて構成する場合や、複数台のＩＰ基地局のみで構成する場合でも、同様の効果が得られることは十分想定している。
【特許文献１】特開２００５−２６９３６号公報（要約書及び図１、図２参照）
【発明の開示】
【発明が解決しようとする課題】
【０００８】
しかしながら、本出願人が考案したＩＰ通信システムによれば、例えば複数台の基地局集線ゲートウェイの呼出エリア群を同一呼出エリアとして呼出エリアグループを設定し、無線端末の位置情報をグループ単位で管理する技術を案出したものの、同一呼出エリアグループ内の無線端末への発信から通信確立までの処理動作を確実に実現する技術が求められていた。
【０００９】
本発明は上記点に鑑みてなされたものであり、その目的とするところは、基地局集線ゲートウェイ及び／又はＩＰ基地局で呼出エリアグループを設定したとしても、同一呼出エリアグループ内の無線端末への発信から通信確立までの処理動作を確実に実現することができるＩＰ通信システムを提供することにある。
【課題を解決するための手段】
【００１０】
上記目的を達成するために本発明のＩＰ通信システムは、無線端末を無線収容可能にする基地局を収容する基地局集線ゲートウェイと、前記無線端末を無線収容可能にするＩＰ基地局と、前記基地局集線ゲートウェイ及び前記ＩＰ基地局をＩＰネットワークに接続し、前記無線端末の位置情報を、前記基地局集線ゲートウェイ又は前記ＩＰ基地局のＩＰアドレスで登録管理する端末管理サーバとを有するＩＰ通信システムであって、このＩＰ通信システム内の全ての前記基地局集線ゲートウェイ及び前記ＩＰ基地局の内、任意の基地局集線ゲートウェイ及び／又はＩＰ基地局の呼出エリア群を同一呼出エリアとする呼出エリアグループを、前記基地局集線ゲートウェイ又は前記ＩＰ基地局毎に設定するグループ設定手段と、前記無線端末への発信操作を検出すると、この無線端末の位置情報に対応する前記基地局集線ゲートウェイ又は前記ＩＰ基地局の所属する前記呼出エリアグループ内の全ての基地局集線ゲートウェイ及び／又はＩＰ基地局に対して、前記無線端末への着信メッセージの発報を指示すべく、発信メッセージを報知する発信報知手段と、前記呼出エリアグループ内の全ての基地局集線ゲートウェイ及び／又はＩＰ基地局の内、前記着信メッセージに対する前記無線端末からの応答メッセージを受信した前記基地局集線ゲートウェイ又はＩＰ基地局を通じて前記無線端末との通信を確立する通信確立手段とを有するようにした。
【発明の効果】
【００１１】
上記のように構成された本発明のＩＰ通信システムによれば、任意の基地局集線ゲートウェイ及び／又はＩＰ基地局の呼出エリア群を同一呼出エリアとする呼出エリアグループを、前記基地局集線ゲートウェイ又は前記ＩＰ基地局毎に設定した場合に、前記無線端末への発信操作を検出すると、この無線端末の位置情報に対応する前記基地局集線ゲートウェイ又は前記ＩＰ基地局の所属する前記呼出エリアグループ内の全ての基地局集線ゲートウェイ及び／又はＩＰ基地局に対して、前記無線端末への着信メッセージの発報を指示すべく、発信メッセージを報知すると共に、前記呼出エリアグループ内の全ての基地局集線ゲートウェイ及び／又はＩＰ基地局の内、前記着信メッセージに対する前記無線端末からの応答メッセージを受信した前記基地局集線ゲートウェイ又はＩＰ基地局を通じて前記無線端末との通信を確立するようにしたので、基地局集線ゲートウェイ及び／又はＩＰ基地局で呼出エリアグループを設定したとしても、同一呼出エリアグループ内の無線端末への発信から通信確立までの処理動作を確実に実現することができる。
【発明を実施するための最良の形態】
【００１２】
本願請求項１記載のＩＰ通信システムは、無線端末を無線収容可能にする基地局を収容する基地局集線ゲートウェイと、前記無線端末を無線収容可能にするＩＰ基地局と、前記基地局集線ゲートウェイ及び前記ＩＰ基地局をＩＰネットワークに接続し、前記無線端末の位置情報を、前記基地局集線ゲートウェイ又は前記ＩＰ基地局のＩＰアドレスで登録管理する端末管理サーバとを有するＩＰ通信システムであって、このＩＰ通信システム内の全ての前記基地局集線ゲートウェイ及び前記ＩＰ基地局の内、任意の基地局集線ゲートウェイ及び／又はＩＰ基地局の呼出エリア群を同一呼出エリアとする呼出エリアグループを、前記基地局集線ゲートウェイ又は前記ＩＰ基地局毎に設定するグループ設定手段と、前記無線端末への発信操作を検出すると、この無線端末の位置情報に対応する前記基地局集線ゲートウェイ又は前記ＩＰ基地局の所属する前記呼出エリアグループ内の全ての基地局集線ゲートウェイ及び／又はＩＰ基地局に対して、前記無線端末への着信メッセージの発報を指示すべく、発信メッセージを報知する発信報知手段と、前記呼出エリアグループ内の全ての基地局集線ゲートウェイ及び／又はＩＰ基地局の内、前記着信メッセージに対する前記無線端末からの応答メッセージを受信した前記基地局集線ゲートウェイ又はＩＰ基地局を通じて前記無線端末との通信を確立する通信確立手段とを有するようにした。
【００１３】
従って、本願請求項１記載のＩＰ通信システムによれば、任意の基地局集線ゲートウェイ及び／又はＩＰ基地局の呼出エリア群を同一呼出エリアとする呼出エリアグループを、前記基地局集線ゲートウェイ又は前記ＩＰ基地局毎に設定した場合に、前記無線端末への発信操作を検出すると、この無線端末の位置情報に対応する前記基地局集線ゲートウェイ又は前記ＩＰ基地局の所属する前記呼出エリアグループ内の全ての基地局集線ゲートウェイ及び／又はＩＰ基地局に対して、前記無線端末への着信メッセージの発報を指示すべく、発信メッセージを報知すると共に、前記呼出エリアグループ内の全ての基地局集線ゲートウェイ及び／又はＩＰ基地局の内、前記着信メッセージに対する前記無線端末からの応答メッセージを受信した前記基地局集線ゲートウェイ又はＩＰ基地局を通じて前記無線端末との通信を確立するようにしたので、基地局集線ゲートウェイ及び／又はＩＰ基地局で呼出エリアグループを設定したとしても、同一呼出エリアグループ内の無線端末への発信から通信確立までの処理動作を確実に実現することができる。
【００１４】
また、本願請求項２記載のＩＰ通信システムは、本願請求項１記載の構成において、前記無線端末毎に、同無線端末の電話番号と、同無線端末の位置情報に対応する前記基地局集線ゲートウェイ又は前記ＩＰ基地局のＩＰアドレスとを対応付けて登録管理する位置情報管理手段を有し、前記発信報知手段は、前記無線端末への発信操作を検出すると、この無線端末の電話番号に対応する同無線端末の位置情報である前記基地局集線ゲートウェイ又は前記ＩＰ基地局のＩＰアドレスを前記位置情報管理手段から検索し、同ＩＰアドレスに関わる前記基地局集線ゲートウェイ又は前記ＩＰ基地局が所属する前記呼出エリアグループ内の全ての前記基地局集線ゲートウェイ及び／又はＩＰ基地局に対して、前記発信メッセージを報知するようにした。
【００１５】
従って、本願請求項２記載のＩＰ通信システムによれば、本願請求項１記載の効果に加えて、前記無線端末への発信操作を検出すると、この無線端末の電話番号に対応する同無線端末の位置情報である前記基地局集線ゲートウェイ又は前記ＩＰ基地局のＩＰアドレスを前記位置情報管理手段から検索し、同ＩＰアドレスに関わる前記基地局集線ゲートウェイ又は前記ＩＰ基地局が所属する前記呼出エリアグループ内の全ての前記基地局集線ゲートウェイ及び／又はＩＰ基地局に対して、前記発信メッセージを報知するようにしたので、前記位置情報管理手段の管理内容に基づき、呼出エリアグループ内の全ての基地局集線ゲートウェイ及び／又はＩＰ基地局に対して発信メッセージを報知することができる。
【００１６】
本願請求項３記載のＩＰ通信システムは、本願請求項２記載の構成において、前記ＩＰ基地局又は前記基地局集線ゲートウェイ毎に、自己に割り当てられたＩＰアドレスと、自己が所属する前記呼出エリアグループのグループ番号とを対応付けて登録管理するグループ管理手段を有し、前記発信報知手段は、前記無線端末の位置情報である前記基地局集線ゲートウェイ又は前記ＩＰ基地局のＩＰアドレスを前記位置情報管理手段から検索し、同ＩＰアドレスに対応する前記基地局集線ゲートウェイ又は前記ＩＰ基地局が所属する前記呼出エリアグループのグループ番号を前記グループ管理手段から検索し、このグループ番号と同一の呼出エリアグループ内の全ての前記基地局集線ゲートウェイ及び／又は前記ＩＰ基地局のＩＰアドレスを前記グループ管理手段から検索し、このＩＰアドレスに基づき、同呼出エリアグループ内の全ての前記基地局集線ゲートウェイ及び／又は前記ＩＰ基地局に対して、前記発信メッセージを報知するようにした。
【００１７】
従って、本願請求項３記載のＩＰ通信システムによれば、本願請求項２記載の効果に加えて、前記無線端末の位置情報である前記基地局集線ゲートウェイ又は前記ＩＰ基地局のＩＰアドレスを前記位置情報管理手段から検索し、同ＩＰアドレスに対応する前記基地局集線ゲートウェイ又は前記ＩＰ基地局が所属する前記呼出エリアグループのグループ番号を前記グループ管理手段から検索し、このグループ番号と同一の呼出エリアグループ内の全ての前記基地局集線ゲートウェイ及び／又は前記ＩＰ基地局のＩＰアドレスを前記グループ管理手段から検索し、このＩＰアドレスに基づき、同呼出エリアグループ内の全ての前記基地局集線ゲートウェイ及び／又は前記ＩＰ基地局に対して、前記発信メッセージを報知するようにしたので、前記位置情報管理手段及びグループ管理手段の管理内容に基づき、呼出エリアグループ内の全ての基地局集線ゲートウェイ及び／又はＩＰ基地局に対して発信メッセージを報知することができる。
【００１８】
また、本願請求項４記載のＩＰ通信システムは、本願請求項３記載の構成において、前記発信報知手段は、前記ＩＰネットワークに接続する発信端末又は発信側ゲートウェイと、前記端末管理サーバとを有し、前記発信端末又は前記発信側ゲートウェイは、前記無線端末への発信操作を検出すると、同無線端末の電話番号に対応する位置情報のＩＰアドレスを要求するアドレス要求を前記端末管理サーバに送信するアドレス要求手段を有し、前記端末管理サーバは、前記位置情報管理手段及び前記グループ管理手段を内部に備え、前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、この位置情報検索手段にて検索したＩＰアドレスに関わる前記基地局集線ゲートウェイ又は前記ＩＰ基地局が所属する呼出エリアグループのグループ番号を前記グループ管理手段から検索し、このグループ番号と同一の呼出エリアグループ内の全ての前記基地局集線ゲートウェイ及び／又は前記ＩＰ基地局のＩＰアドレスを前記グループ管理手段から検索するグループ検索手段と、このグループ検索手段にて検索した同呼出エリアグループ内の全ての基地局集線ゲートウェイ及び／又はＩＰ基地局のＩＰアドレスを、前記アドレス要求を送信した前記発信端末又は前記発信側ゲートウェイに通知するＩＰアドレス通知手段とを有し、前記発信端末又は前記発信側ゲートウェイは、前記端末管理サーバ側の前記ＩＰアドレス通知手段からＩＰアドレスを受信すると、このＩＰアドレスに基づき、前記無線端末への着信メッセージの発報を指示すべく、同呼出エリアグループ内の全ての基地局集線ゲートウェイ及び／又はＩＰ基地局に対して、前記発信メッセージを報知する発信メッセージ報知手段を有するようにした。
【００１９】
従って、本願請求項４記載のＩＰ通信システムによれば、本願請求項３記載の効果に加えて、前記位置情報管理手段及びグループ管理手段を前記端末管理サーバに配置し、前記発信端末又は発信側ゲートウェイから無線端末への発信操作を検出すると、前記端末管理サーバ側で同無線端末の位置情報である基地局集線ゲートウェイ又はＩＰ基地局と同一呼出エリアグループ内の全ての基地局集線ゲートウェイ及び／又はＩＰ基地局のＩＰアドレスを検索し、このＩＰアドレスを発信端末又は発信側ゲートウェイに通知し、この発信端末又は発信側ゲートウェイ側では同ＩＰアドレスに基づき、同呼出エリアグループ内の全ての基地局集線ゲートウェイ及び／又はＩＰ基地局に対して、前記発信メッセージを報知するようにしたので、前記発信端末又は発信側ゲートウェイは、呼出エリアグループ内の全ての基地局集線ゲートウェイ及び／又はＩＰ基地局に発信メッセージを報知することができると共に、前記位置情報管理手段及び前記グループ管理手段の管理、前記位置情報検索手段及び前記グループ検索手段の処理を前記端末管理サーバに負担させることで、前記発信端末又は発信側ゲートウェイ側の負担を大幅に軽減することができる。
【００２０】
本願請求項５記載のＩＰ通信システムは、本願請求項３記載の構成において、前記発信報知手段は、前記ＩＰネットワークに接続する発信端末又は発信側ゲートウェイと、前記端末管理サーバとを有し、前記発信端末又は前記発信側ゲートウェイは、前記グループ管理手段を内部に備え、前記無線端末への発信操作を検出すると、同無線端末の電話番号に対応する位置情報のＩＰアドレスを要求するアドレス要求を前記端末管理サーバに送信するアドレス要求手段を有し、前記端末管理サーバは、前記位置情報管理手段を内部に備え、前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、この位置情報検索手段にて検索した前記基地局集線ゲートウェイ又はＩＰ基地局のＩＰアドレスを、前記アドレス要求を送信した前記発信端末又は発信側ゲートウェイに通知するＩＰアドレス通知手段とを有し、前記発信端末又は発信側ゲートウェイは、前記端末管理サーバ側の前記ＩＰアドレス通知手段からＩＰアドレスを受信すると、このＩＰアドレスに関わる基地局集線ゲートウェイ又はＩＰ基地局が所属する呼出エリアグループのグループ番号を前記グループ管理手段から検索し、このグループ番号と同一の呼出エリアグループ内の全ての前記基地局集線ゲートウェイ及び／又はＩＰ基地局のＩＰアドレスを、前記グループ管理手段から検索するグループ検索手段と、このグループ検索手段にて検索した同呼出エリアグループ内の全ての基地局集線ゲートウェイ及び／又はＩＰ基地局のＩＰアドレスに基づき、前記無線端末への着信メッセージの発報を指示すべく、同呼出エリアグループ内の全ての基地局集線ゲートウェイ及び／又はＩＰ基地局に対して、前記発信メッセージを報知する発信メッセージ報知手段を有するようにした。
【００２１】
従って、本願請求項５記載のＩＰ通信システムによれば、本願請求項３記載の効果に加えて、前記位置情報管理手段を前記端末管理サーバに配置し、前記発信端末又は発信側ゲートウェイから無線端末への発信操作を検出すると、前記端末管理サーバ側で同無線端末の位置情報である基地局集線ゲートウェイ又はＩＰ基地局のＩＰアドレスを前記位置情報管理手段から検索し、このＩＰアドレスを発信端末又は発信側ゲートウェイに通知すると共に、前記グループ管理手段を前記発信端末又は発信側ゲートウェイに配置し、この発信端末又は発信側ゲートウェイでは、前記端末管理サーバ側からＩＰアドレスを受信すると、このＩＰアドレスに関わる基地局集線ゲートウェイ又はＩＰ基地局が所属する呼出エリアグループのグループ番号を前記グループ管理手段から検索し、このグループ番号と同一の呼出エリアグループ内の全ての前記基地局集線ゲートウェイ及び／又はＩＰ基地局のＩＰアドレスに基づき、前記無線端末への着信メッセージの発報を指示すべく、前記発信メッセージを報知するようにしたので、前記発信端末又は発信側ゲートウェイは、呼出エリアグループ内の全ての基地局集線ゲートウェイ及び／又はＩＰ基地局に発信メッセージを報知することができると共に、前記位置情報管理手段の管理及び前記位置情報検索手段の処理を前記端末管理サーバに、前記グループ管理手段の管理及び前記グループ検索手段の処理を前記発信端末又は発信側ゲートウェイに負担をさせることで、前記端末管理サーバ側の負担を軽減することができる。
【００２２】
本願請求項６記載のＩＰ通信システムは、本願請求項２記載の構成において、前記発信報知手段は、前記ＩＰネットワークに接続する発信端末又は発信側ゲートウェイと、前記端末管理サーバと、前記基地局集線ゲートウェイ又は前記ＩＰ基地局とを有し、前記発信端末又は前記発信側ゲートウェイは、前記無線端末への発信操作を検出すると、同無線端末の電話番号に対応する位置情報のＩＰアドレスを要求するアドレス要求を前記端末管理サーバに送信するアドレス要求手段を有し、前記端末管理サーバは、前記位置情報管理手段を内部に備え、前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、この位置情報検索手段にて検索した前記基地局集線ゲートウェイ又はＩＰ基地局のＩＰアドレスを、前記アドレス要求を送信した前記発信端末又は発信側ゲートウェイに通知するＩＰアドレス通知手段とを有し、前記発信端末又は発信側ゲートウェイは、前記端末管理サーバ側の前記ＩＰアドレス通知手段からＩＰアドレスを受信すると、このＩＰアドレスに基づき、前記無線端末への着信メッセージの発報を指示すべく、同ＩＰアドレスの基地局集線ゲートウェイ又はＩＰ基地局に対して、前記発信メッセージを報知する発信メッセージ報知手段とを有し、前記基地局集線ゲートウェイ又は前記ＩＰ基地局は、自己が所属する呼出エリアグループ内の他の全ての基地局集線ゲートウェイ及び／又はＩＰ基地局のＩＰアドレスを管理するグループ内アドレス管理手段と、前記発信端末又は発信側ゲートウェイの前記発信メッセージ報知手段から前記発信メッセージを受信すると、前記グループ内アドレス管理手段に管理中の全ＩＰアドレスに基づき、前記無線端末への着信メッセージの発報を指示すべく、前記発信端末又は発信側ゲートウェイからの前記発信メッセージを、同一呼出エリアグループ内の前記基地局集線ゲートウェイ及び／又はＩＰ基地局に対して中継する中継手段とを有するようにした。
【００２３】
従って、本願請求項６記載のＩＰ通信システムによれば、本願請求項２記載の効果に加えて、前記位置情報管理手段を前記端末管理サーバに配置し、前記発信端末又は発信側ゲートウェイから無線端末への発信操作を検出すると、前記端末管理サーバ側で同無線端末の位置情報である基地局集線ゲートウェイ又はＩＰ基地局のＩＰアドレスを前記位置情報管理手段から検索し、このＩＰアドレスを発信端末又は発信側ゲートウェイに通知し、発信端末又は発信側ゲートウェイ側では同ＩＰアドレスに基づき前記基地局集線ゲートウェイ又はＩＰ基地局に対して前記発信メッセージを報知すると共に、同発信メッセージを受信した基地局集線ゲートウェイ又はＩＰ基地局側では、前記発信メッセージを受信すると、前記グループ内アドレス管理手段に管理中の全ＩＰアドレスに基づき、前記無線端末への着信メッセージの発報を指示すべく、前記発信メッセージを同一呼出エリアグループ内の前記基地局集線ゲートウェイ及び／又はＩＰ基地局に対して中継するようにしたので、前記基地局集線ゲートウェイ又はＩＰ基地局では、前記発信端末又は発信側ゲートウェイから受信した前記発信メッセージを、同一呼出エリアグループ内の他の基地局集線ゲートウェイ及び／又はＩＰ基地局に中継することができると共に、前記位置情報管理手段の管理及び前記位置情報検索手段の処理を前記端末管理サーバに、前記グループ内アドレス管理手段の管理及び前記発信メッセージの中継負担を前記基地局集線ゲートウェイ又は前記ＩＰ基地局に負担させることで、前記端末管理サーバ側の負担を大幅に軽減することができる。
【００２４】
本願請求項７記載のＩＰ通信システムは、本願請求項６記載の構成において、前記中継手段は、前記着信メッセージに対する前記無線端末からの応答メッセージを同一呼出エリアグループ内の他の基地局集線ゲートウェイ又はＩＰ基地局が受信した場合、同基地局集線ゲートウェイ又はＩＰ基地局にて受信した前記無線端末からの応答メッセージを、前記発信端末又は前記発信側ゲートウェイに対して中継するようにした。
【００２５】
従って、本願請求項７記載のＩＰ通信システムによれば、本願請求項６記載の効果に加えて、前記着信メッセージに対する前記無線端末からの応答メッセージを同一呼出エリアグループ内の他の基地局集線ゲートウェイ又はＩＰ基地局が受信した場合、同基地局集線ゲートウェイ又はＩＰ基地局にて受信した前記無線端末からの応答メッセージを、前記中継手段を通じて、前記発信端末又は前記発信側ゲートウェイに対して中継するようにしたので、前記中継手段は、同一呼出エリアグループ内の他の基地局集線ゲートウェイ又はＩＰ基地局が受信した前記無線端末からの応答メッセージを、前記発信端末又は発信側ゲートウェイに中継することができる。
【００２６】
本願請求項８記載のＩＰ通信システムは、本願請求項７記載の構成において、前記中継手段は、前記基地局集線ゲートウェイ又は前記ＩＰ基地局と、前記発信端末又は前記発信側ゲートウェイとの間で、前記応答メッセージ受信後の通信確立から通信終了までの全ての制御メッセージを中継するようにした。
【００２７】
従って、本願請求項８記載のＩＰ通信システムによれば、本願請求項７記載の効果に加えて、前記中継手段を通じて、前記応答メッセージ受信後の前記通信確立から通信終了までの全ての制御メッセージを中継するようにしたので、前記中継手段は、前記応答メッセージ受信後の通信確立から通信終了までの全ての制御メッセージを中継することができる。
【００２８】
本願請求項９記載のＩＰ通信システムは、本願請求項８記載の構成において、前記中継手段は、前記基地局集線ゲートウェイ又は前記ＩＰ基地局と、前記発信端末又は前記発信側ゲートウェイとの間の通信に使用するＩＰアドレス及びポート番号をそのまま透過して、前記全ての制御メッセージを中継するようにした。
【００２９】
従って、本願請求項９記載のＩＰ通信システムによれば、本願請求項８記載の効果に加えて、前記基地局集線ゲートウェイ又は前記ＩＰ基地局と、前記発信端末又は発信側ゲートウェイとの間の通信に使用するＩＰアドレス及びポート番号をそのまま透過して、前記中継手段を通じて全ての制御メッセージを中継するようにしたので、前記基地局集線ゲートウェイ又は前記ＩＰ基地局と、前記発信端末又は発信側ゲートウェイとは、中継手段で中継されていることを意識することなく、全ての制御メッセージを送受信することができる。
【００３０】
本願請求項１０記載のＩＰ通信システムは、本願請求項８記載の構成において、前記中継手段は、前記基地局集線ゲートウェイ又は前記ＩＰ基地局と、前記発信端末又は前記発信側ゲートウェイとの間の通信に使用するＩＰアドレス及びポート番号を自己のＩＰアドレス及びポート番号に置き換えて、前記全ての制御メッセージを中継するようにした。
【００３１】
本願請求項１０記載のＩＰ通信システムによれば、本願請求項８記載の効果に加えて、前記基地局集線ゲートウェイ又は前記ＩＰ基地局と、前記発信端末又は前記発信側ゲートウェイとの間の通信に使用するＩＰアドレス及びポート番号を自己のＩＰアドレス及びポート番号に置き換えて、前記中継手段を通じて前記全ての制御メッセージを中継するようにしたので、前記基地局集線ゲートウェイ又は前記ＩＰ基地局と、前記発信端末又は発信側ゲートウェイとは、中継手段を通じて全ての制御メッセージを送受信することができる。
【００３２】
本願請求項１１記載のＩＰ通信システムは、本願請求項２記載の構成に加えて、前記発信報知手段は、前記ＩＰネットワークに接続する発信端末又は発信側ゲートウェイと、前記端末管理サーバと、前記基地局集線ゲートウェイ又は前記ＩＰ基地局とを有し、前記発信端末又は前記発信側ゲートウェイは、前記無線端末への発信操作を検出すると、同無線端末の電話番号に対応する位置情報のＩＰアドレスを要求するアドレス要求を前記端末管理サーバに送信するアドレス要求手段を有し、前記端末管理サーバは、前記位置情報管理手段を内部に備え、前記発信端末又は前記発信側ゲートウェイ側の前記アドレス要求手段からのアドレス要求を受信すると、同無線端末の電話番号に対応する、同無線端末の位置情報である前記基地局集線ゲートウェイ又は前記ＩＰ基地局のＩＰアドレスを前記位置情報管理手段から検索する位置情報検索手段と、この位置情報検索手段にて検索した前記基地局集線ゲートウェイ又はＩＰ基地局のＩＰアドレスを、前記アドレス要求を送信した前記発信端末又は発信側ゲートウェイに通知するＩＰアドレス通知手段とを有し、前記発信端末又は発信側ゲートウェイは、前記端末管理サーバ側の前記ＩＰアドレス通知手段からＩＰアドレスを受信すると、このＩＰアドレスに基づき、前記無線端末への着信メッセージの発報を指示すべく、同ＩＰアドレスの基地局集線ゲートウェイ又はＩＰ基地局に対して、前記発信メッセージを報知する発信メッセージ報知手段を有し、前記基地局集線ゲートウェイ又は前記ＩＰ基地局は、自己が所属する呼出エリアグループ内の他の全ての基地局集線ゲートウェイ及び／又はＩＰ基地局のＩＰアドレスを管理するグループ内アドレス管理手段と、前記発信端末又は発信側ゲートウェイの前記発信メッセージ報知手段から前記発信メッセージを受信すると、前記グループ内アドレス管理手段に管理中の全ＩＰアドレスに基づき、前記無線端末への着信メッセージの発報を指示すべく、前記発信メッセージを、同一呼出エリアグループ内の前記基地局集線ゲートウェイ及び／又はＩＰ基地局に対して代理発信する代理通信手段とを有し、前記代理通信手段は、前記着信メッセージに対する前記無線端末からの応答メッセージを同一呼出エリアグループ内の他の基地局集線ゲートウェイ又はＩＰ基地局が受信した場合、前記発信メッセージを報知した前記発信端末又は発信側ゲートウェイに対して発信メッセージの再発信を要求する再発信要求メッセージを送信する再発信要求手段を有し、前記発信端末又は発信側ゲートウェイは、前記基地局集線ゲートウェイ又は前記ＩＰ基地局側の再発信要求手段からの再発信要求メッセージを受信すると、前記無線端末からの応答メッセージを受信した前記基地局集線ゲートウェイ又はＩＰ基地局に対して、同無線端末との通信を確立すべく、前記発信メッセージ報知手段を通じて前記発信メッセージを再報知するようにした。
【００３３】
従って、本願請求項１１記載のＩＰ通信システムによれば、本願請求項２記載の効果に加えて、前記位置情報管理手段を前記端末管理サーバに配置し、前記発信端末又は発信側ゲートウェイから前記無線端末への発信操作を検出すると、前記端末管理サーバ側で同無線端末の位置情報である基地局集線ゲートウェイ又はＩＰ基地局のＩＰアドレスを前記位置情報管理手段から検索し、このＩＰアドレスを発信端末又は発信側ゲートウェイに通知し、発信端末又は発信側ゲートウェイ側では同ＩＰアドレスに基づき基地局集線ゲートウェイ又はＩＰ基地局に対して前記発信メッセージを報知すると共に、同発信メッセージを受信した基地局集線ゲートウェイ又はＩＰ基地局側では、前記発信メッセージを受信すると、前記代理通信手段を通じて、前記グループ内アドレス管理手段に管理中の全ＩＰアドレスに基づき、前記発信メッセージを同一呼出エリアグループ内の前記基地局集線ゲートウェイ及び／又はＩＰ基地局に対して代理発信すると共に、前記着信メッセージに対する前記無線端末からの応答メッセージを同一呼出エリアグループ内の他の基地局集線ゲートウェイ又はＩＰ基地局が受信した場合、前記代理通信手段を通じて、前記発信メッセージを報知した前記発信端末又は発信側ゲートウェイに対して前記再発信要求メッセージを送信し、発信端末又は発信側ゲートウェイ側では、前記再発信要求メッセージを受信すると、前記無線端末からの応答メッセージを受信した基地局集線ゲートウェイ又はＩＰ基地局に対して、同無線端末との通信を確立すべく、前記発信メッセージを再報知するようにしたので、前記基地局集線ゲートウェイ又はＩＰ基地局では、前記発信端末又は発信側ゲートウェイから受信した前記発信メッセージを、同一呼出エリアグループ内の他の基地局集線ゲートウェイ及び／又はＩＰ基地局に代理発信することができると共に、前記発信端末又は発信側ゲートウェイは、前記再発信要求メッセージに応じて、前記無線端末からの応答メッセージを受信した基地局集線ゲートウェイ又はＩＰ基地局とダイレクト通信して無線端末との通信を確保することができる。
【００３４】
本願請求項１２記載のＩＰ通信システムは、本願請求項１１記載の構成において、前記基地局集線ゲートウェイ又は前記ＩＰ基地局は、前記着信メッセージに対する前記無線端末からの応答メッセージを受信した場合、自己のＩＰアドレスを同無線端末の位置情報として登録要求する位置登録要求を前記端末管理サーバに送信する位置登録要求手段を有し、前記端末管理サーバは、前記基地局集線ゲートウェイ又は前記ＩＰ基地局側の前記位置登録要求手段から位置登録要求を受信すると、同基地局集線ゲートウェイ又はＩＰ基地局のＩＰアドレスを同無線端末の位置情報として前記位置情報管理手段に登録更新する位置情報登録手段を有し、前記発信端末又は発信側ゲートウェイは、前記基地局集線ゲートウェイ又は前記ＩＰ基地局側の前記再発信要求手段から前記再発信要求メッセージを受信すると、前記アドレス要求手段を通じて、前記応答メッセージに関わる前記無線端末の電話番号に対応する位置情報としてのＩＰアドレスを要求するアドレス要求を前記端末管理サーバに送信し、この端末管理サーバは、前記発信端末又は発信側ゲートウェイ側の前記アドレス要求手段から前記アドレス要求を受信すると、前記位置情報検索手段を通じて、同無線端末の電話番号に対応する、同無線端末の位置情報である前記基地局集線ゲートウェイ又は前記ＩＰ基地局のＩＰアドレスを前記位置情報管理手段から検索し、前記ＩＰアドレス通知手段を通じて、この検索結果のＩＰアドレスを、前記アドレス要求を送信した前記発信端末又は前記発信側ゲートウェイに通知し、この発信端末又は発信側ゲートウェイの前記発信メッセージ報知手段は、前記端末管理サーバ側の前記ＩＰアドレス通知手段からの前記ＩＰアドレスを受信すると、このＩＰアドレスに基づき、前記無線端末の応答メッセージを受信した前記基地局集線ゲートウェイ又は前記ＩＰ基地局に対して前記発信メッセージを再報知し、前記無線端末からの応答メッセージを受信した前記基地局集線ゲートウェイ又は前記ＩＰ基地局は、前記発信端末又は発信側ゲートウェイ側の前記発信メッセージ報知手段から再報知された前記発信メッセージを受信すると、前記応答メッセージを報知した前記無線端末と前記発信端末又は発信側ゲートウェイとの間の通信を確立するようにした。
【００３５】
従って、本願請求項１２記載のＩＰ通信システムによれば、本願請求項１１記載の効果に加えて、前記端末管理サーバ側では、前記基地局集線ゲートウェイ又は前記ＩＰ基地局側の前記位置登録要求を受信すると、同基地局集線ゲートウェイ又はＩＰ基地局のＩＰアドレスを同無線端末の位置情報として前記位置情報管理手段に登録更新し、前記発信端末又は発信ゲートウェイ側は、前記基地局集線ゲートウェイ又は前記ＩＰ基地局側からの再発信要求メッセージを受信すると、前記応答メッセージに関わる無線端末の電話番号に対応する位置情報としてのＩＰアドレスを要求するアドレス要求を前記端末管理サーバに送信し、前記端末管理サーバ側は、前記アドレス要求を受信すると、同無線端末の電話番号に対応する、同無線端末の位置情報である前記基地局集線ゲートウェイ又はＩＰ基地局のＩＰアドレスを前記位置情報管理手段から検索し、このＩＰアドレスを前記発信端末又は発信側ゲートウェイに通知し、前記発信端末又は発信側ゲートウェイは、このＩＰアドレスに基づき、前記無線端末の応答メッセージを受信した前記基地局集線ゲートウェイ又は前記ＩＰ基地局に対して発信メッセージを再報知し、前記基地局集線ゲートウェイ又は前記ＩＰ基地局側では、再報知された発信メッセージを受信すると、前記応答メッセージを報知した無線端末と前記発信端末又は発信側ゲートウェイとの間の通信を確立するようにしたので、発信端末又は発信側ゲートウェイは、前記再発信要求メッセージに応じて、前記無線端末からの応答メッセージを受信した基地局集線ゲートウェイ又はＩＰ基地局とダイレクト通信して無線端末との通信を確保することができる。
【００３６】
（実施の形態１）
以下、図面に基づいて本発明の実施の形態を示すＩＰ通信システムについて説明する。図１は第１の実施の形態を示すＩＰ通信システム全体の概略構成を示すブロック図である。
【００３７】
図１に示すＩＰ通信システム１は、無線端末２を無線収容可能にする基地局３を収容する基地局集線ゲートウェイ４と、無線端末２を無線収容可能にするＩＰ基地局５と、基地局集線ゲートウェイ４及びＩＰ基地局５をＩＰネットワーク６に接続し、無線端末２の位置情報を、基地局集線ゲートウェイ４又はＩＰ基地局５のＩＰアドレスで登録管理する端末管理サーバ７とを有している。
【００３８】
基地局３は、自己の呼出エリア内の無線端末２を無線収容可能にする、例えばデジタル無線基地局やアナログ無線基地局に相当し、ＩＰネットワーク６との通信インタフェースを備えていない基地局に相当するものである。
【００３９】
ＩＰ基地局５は、自己の呼出エリア内の無線端末２を無線収容可能にし、ＩＰネットワーク６との通信インタフェースを備えたものである。
【００４０】
基地局集線ゲートウェイ４は、複数台の基地局３を収容し、各基地局３の呼出エリア内の無線端末２を無線収容可能にして、基地局３及びＩＰネットワーク６間の通信インタフェースを備えたものである。
【００４１】
端末管理サーバ７は、ＩＰネットワーク６を通じて基地局集線ゲートウェイ４及びＩＰ基地局５と接続し、無線端末２の位置情報を、基地局集線ゲートウェイ４又はＩＰ基地局５のＩＰアドレスで管理するものである。尚、基地局集線ゲートウェイ４、ＩＰ基地局５及び端末管理サーバ７には、ＩＰアドレスが夫々割り当てられているものとする。
【００４２】
つまり、端末管理サーバ７は、例えば無線端末２がＩＰ基地局５の呼出エリア内に無線収容される場合、同無線端末２の位置情報を、同ＩＰ基地局５のＩＰアドレスで管理すると共に、例えば無線端末２が基地局３の呼出エリア内に無線収容される場合、同無線端末２の位置情報を、同基地局３を収容する基地局集線ゲートウェイ４のＩＰアドレスで管理するものである。
【００４３】
また、このＩＰ通信システム１は、このＩＰ通信システム１内の全ての基地局集線ゲートウェイ４及びＩＰ基地局５の内、任意の基地局集線ゲートウェイ４及び／又はＩＰ基地局５の呼出エリア群を同一呼出エリアとする呼出エリアグループを、基地局集線ゲートウェイ４又はＩＰ基地局５毎に設定するものである。
【００４４】
例えばグループ番号“１”の呼出エリアグループは、例えば基地局集線ゲートウェイ４Ａ、基地局集線ゲートウェイ４Ｂ及びＩＰ基地局５Ｃの呼出エリア群で構成し、グループ番号“２”の呼出エリアグループは、例えばＩＰ基地局５Ｄ及びＩＰ基地局５Ｅの呼出エリア群で構成している。
【００４５】
また、ＩＰネットワーク６には、例えばＩＰ電話機等の発信端末８と、例えば発信側無線端末を無線収容する複数台の基地局３を収容する発信側ゲートウェイ９とを接続している。尚、発信端末８及び発信側ゲートウェイ９には、ＩＰアドレスが夫々割り当てられているものとする。
【００４６】
図２は第１の実施の形態に関わる端末管理サーバ７内部の概略構成を示すブロック図である。
【００４７】
図２に示す端末管理サーバ７は、ＩＰネットワーク６との通信インタフェースを司るサーバ側通信インタフェース１１と、無線端末２毎に、同無線端末２の電話番号及び、同無線端末２の位置情報に対応する基地局集線ゲートウェイ４又はＩＰ基地局５のＩＰアドレスを対応付けて登録管理する位置情報管理部１２と、ＩＰ基地局５又は基地局集線ゲートウェイ４毎に、自己に割り当てられたＩＰアドレス及び、自己が所属する呼出エリアグループを識別するグループ番号を対応付けて登録管理するグループ管理部１３と、グループ管理部１３の登録管理内容を設定するグループ設定部１４と、この端末管理サーバ７全体を制御するサーバ側制御部１５とを有している。
【００４８】
位置情報管理部１２は、無線端末２の端末名毎に、同無線端末２の電話番号と、同無線端末２の位置情報に対応する基地局集線ゲートウェイ４又はＩＰ基地局５のＩＰアドレスとを対応付けて登録管理するものであって、例えば“Ｘ”の無線端末２の場合、電話番号“２０００”、位置情報として基地局集線ゲートウェイ４ＡのＩＰアドレス“ａ．ａ．ａ．ａ”を対応付けて登録管理しているものである。
【００４９】
グループ管理部１３は、基地局集線ゲートウェイ４又はＩＰ基地局５の基地局名毎に、自己に割り当てられたＩＰアドレスと、自己が所属する呼出エリアグループを識別するグループ番号とを対応付けて登録管理するものであって、例えば基地局集線ゲートウェイ４Ａの場合、そのＩＰアドレス“ａ．ａ．ａ．ａ”、グループ番号“１”を対応付けて登録管理しているものである。
【００５０】
グループ設定部１４は、グループ管理部１３の登録管理内容を設定変更可能にし、ＩＰ通信システム１内の全ての基地局集線ゲートウェイ４及びＩＰ基地局５の内、任意の基地局集線ゲートウェイ４及び／又はＩＰ基地局５を選択し、これら選択した基地局集線ゲートウェイ４及び／又はＩＰ基地局５の呼出エリア群を呼出エリアグループとして設定するものである。
【００５１】
サーバ側制御部１５は、ＩＰネットワーク６との通信制御を司るサーバ側通信制御部１５Ａと、無線端末２を無線収容する基地局集線ゲートウェイ４又はＩＰ基地局５の位置登録要求メッセージ（ＲＲＱ）に応じて同無線端末２の位置情報として同無線収容する基地局集線ゲートウェイ４又はＩＰ基地局５のＩＰアドレスを位置情報管理部１２に登録更新する位置登録更新部１５Ｂと、例えば発信端末８側の無線端末２への発信操作に応じて同無線端末２の電話番号に対応する、同無線端末２の位置情報に相当するＩＰアドレスを位置情報管理部１２から検索する位置情報検索部１６と、この位置情報検索部１６にて検索した同無線端末２の位置情報のＩＰアドレスに対応する基地局集線ゲートウェイ４又はＩＰ基地局５が所属する呼出エリアグループのグループ番号と同一の呼出エリアグループ内の全ての基地局集線ゲートウェイ４及び／又はＩＰ基地局５のＩＰアドレスをグループ管理部１３から検索するグループ検索部１７と、このグループ検索部１７にて検索したＩＰアドレスを、ＩＰネットワーク６を通じて発信端末８に通知するＩＰアドレス通知部１８とを有している。
【００５２】
位置情報検索部１６は、例えば発信端末８側の無線端末２への発信操作に応じたアドレス要求メッセージ（ＡＲＱ）を受信すると、同アドレス要求メッセージ（ＡＲＱ）に関わる無線端末２の電話番号に対応した、同無線端末２の位置情報に相当する基地局集線ゲートウェイ４又はＩＰ基地局５のＩＰアドレスを位置情報管理部１２から検索するものであって、例えば“Ｘ”の無線端末の“２０００”番の電話番号のアドレス要求メッセージ（ＡＲＱ）を受信すると、同“２０００”番の電話番号に対応する位置情報であるＩＰアドレス“ａ．ａ．ａ．ａ”を位置情報管理部１２から検索するものである。
【００５３】
グループ検索部１７は、位置情報検索部１６にて無線端末２の位置情報（ＩＰアドレス）を検索すると、同位置情報に相当するＩＰアドレスに対応した同基地局集線ゲートウェイ４又はＩＰ基地局５が所属する呼出エリアグループを識別するグループ番号をグループ管理部１３から検索すると共に、同グループ番号と同一の基地局集線ゲートウェイ４及び／又はＩＰ基地局５に関わるＩＰアドレスをグループ管理部１３から検索するものであって、例えば位置情報検索部１６にて“Ｘ”の無線端末２の位置情報であるＩＰアドレス“ａ．ａ．ａ．ａ”をグループ管理部１３から検索すると、この位置情報であるＩＰアドレス“ａ．ａ．ａ．ａ”に対応したグループ番号“１”を検索し、同グループ番号“１”の基地局集線ゲートウェイ４Ａ，４Ｂ及びＩＰ基地局５Ｃに関わるＩＰアドレスをグループ管理部１３から検索するものである。
【００５４】
ＩＰアドレス通知部１８は、グループ検索部１７の検索結果、すなわち同無線端末２の位置情報に相当する基地局集線ゲートウェイ４又はＩＰ基地局５が所属する呼出エリアグループ内の全ての基地局集線ゲートウェイ４及び／又はＩＰ基地局５の全ＩＰアドレスを含むアドレス確認メッセージ（ＡＣＦ）を、アドレス要求メッセージ（ＡＲＱ）を発信した発信端末８に通知するものである。
【００５５】
図３は同発信端末８内部の概略構成を示すブロック図である。
【００５６】
図３に示す発信端末８は、通話相手との通話に使用するハンドセット２１と、例えばダイヤル番号等の各種操作コマンドを入力する操作部２２と、各種情報を表示する表示部２３と、ＩＰネットワーク６との通信インタフェースを司る端末側通信インタフェース２４と、発信端末８全体を制御する端末側制御部２５とを有し、端末側制御部２５は、ＩＰネットワーク６との通信制御を司る端末側通信制御部２５Ａを有している。
【００５７】
端末側通信制御部２５Ａは、例えば通話相手先である無線端末２への発信操作に応じて、同無線端末２の電話番号に応じた位置情報、すなわち同無線端末２を無線収容する基地局集線ゲートウェイ４又はＩＰ基地局５のＩＰアドレスを端末管理サーバ７に要求するアドレス要求メッセージ（ＡＲＱ）を発信するアドレス要求部２６と、このアドレス要求メッセージ（ＡＲＱ）に応じて端末管理サーバ７側のＩＰアドレス通知部１８からＩＰアドレスを含むアドレス確認メッセージ（ＡＣＦ）を受信すると、このアドレス確認メッセージ（ＡＣＦ）に含まれるＩＰアドレスに基づき、同一呼出エリアグループ内の全ての基地局集線ゲートウェイ４及び／又はＩＰ基地局５に対して、発信メッセージ（ＳＥＴＵＰ）を報知する発信メッセージ報知部２７とを有している。
【００５８】
基地局集線ゲートウェイ４及びＩＰ基地局５は、発信端末８側の発信メッセージ報知部２７からの発信メッセージ（ＳＥＴＵＰ）を受信すると、無線端末２への着信メッセージの発報動作を開始するものである。
【００５９】
図４は第１の実施の形態に関わる基地局集線ゲートウェイ４内部の概略構成を示すブロック図である。
【００６０】
図４に示す基地局集線ゲートウェイ４は、ＩＰネットワーク６との通信インタフェースを司るゲートウェイ側通信インタフェース３１と、例えば複数台の基地局３との通信インタフェースを司る基地局通信インタフェース３２と、基地局集線ゲートウェイ４全体を制御するゲートウェイ側制御部３３とを有し、ゲートウェイ側制御部３３は、基地局３及びＩＰネットワーク６間の通信制御を司るゲートウェイ側通信制御部３４を有している。尚、基地局集線ゲートウェイ４は、自己が管轄する基地局３の呼出エリア内の無線端末２を、同基地局３を通じて無線収容するものである。
【００６１】
図５は第１の実施の形態に関わるＩＰ基地局５内部の概略構成を示すブロック図である。
【００６２】
図５に示すＩＰ基地局５は、ＩＰネットワーク６との通信インタフェースを司るＩＰ基地局側通信インタフェース４１と、自己の呼出エリア内の無線端末２との通信インタフェースを司る無線インタフェース４２と、このＩＰ基地局５全体を制御するＩＰ基地局側制御部４３とを有している。
【００６３】
尚、第１の実施の形態は、本願請求項１乃至４記載の内容に相当し、これら請求項記載のＩＰ通信システムはＩＰ通信システム１、無線端末は無線端末２、基地局は基地局３、基地局集線ゲートウェイは基地局集線ゲートウェイ４、ＩＰ基地局はＩＰ基地局５、ＩＰネットワークはＩＰネットワーク６、端末管理サーバは端末管理サーバ７、グループ設定手段はグループ設定部１４、発信報知手段は発信端末８、発信側ゲートウェイ９及び端末管理サーバ７、通信確立手段は基地局集線ゲートウェイ４及びＩＰ基地局５、位置情報管理手段は位置情報管理部１２、グループ管理手段はグループ管理部１３、アドレス要求手段はアドレス要求部２６、位置情報検索手段は位置情報検索部１６、グループ検索手段はグループ検索部１７、ＩＰアドレス通知手段はＩＰアドレス通知部１８、発信メッセージ報知手段は発信メッセージ報知部２７に相当するものである。
【００６４】
次に第１の実施の形態を示すＩＰ通信システム１の動作について説明する。図６及び図７は第１の実施の形態を示すＩＰ通信システム１内部の発信端末８から無線端末２への発信操作から通信確立までの処理動作を示す動作シーケンス図である。
【００６５】
尚、説明の便宜上、発信端末８から電話番号“２０００”番の“Ｘ”の無線端末２へ発信した場合を想定し、この“Ｘ”の無線端末２は、基地局集線ゲートウェイ４Ａ（ＩＰアドレス：“ａ．ａ．ａ．ａ”）、基地局集線ゲートウェイ４Ｂ（ＩＰアドレス：“ａ．ａ．ａ．ｂ”）及びＩＰ基地局５Ｃ（ＩＰアドレス：“ａ．ａ．ａ．ｃ”）の呼出エリア群で構成するグループ番号“１”の呼出エリアグループ内に位置し、同呼出エリアグループ内の基地局集線ゲートウェイ４ＡのＩＰアドレスを位置情報として登録しているものとする。
【００６６】
また、基地局集線ゲートウェイ４は、自己が収容する基地局３を通じて無線端末２に対して各種メッセージを送受信するものであるが、説明の便宜上、その基地局３の動作については省略する。
【００６７】
図６に示す発信端末８は、操作部２２を通じて、電話番号“２０００”番の“Ｘ”の無線端末２への発信操作を検出すると（ステップＳ１１）、アドレス要求部２６を通じて同電話番号“２０００”番の無線端末２の位置情報（ＩＰアドレス）を要求するアドレス要求メッセージ（ＡＲＱ）をＩＰネットワーク６経由で端末管理サーバ７に通知する（ステップＳ１２）。
【００６８】
端末管理サーバ７は、発信端末８からのアドレス要求メッセージ（ＡＲＱ）を受信すると、位置情報検索部１６を通じて、このアドレス要求メッセージ（ＡＲＱ）に含まれる電話番号“２０００”の無線端末２の位置情報、すなわち同無線端末２を無線収容する基地局集線ゲートウェイ４及び／又はＩＰ基地局５のＩＰアドレスを位置情報管理部１２から検索し（ステップＳ１３）、その結果、電話番号“２０００”に対応した基地局集線ゲートウェイ４ＡのＩＰアドレス“ａ．ａ．ａ．ａ”を取得することになる。
【００６９】
端末管理サーバ７は、同無線端末２の位置情報に相当するＩＰアドレスを検索すると、グループ検索部１７を通じて同ＩＰアドレスに対応するグループ番号をグループ管理部１３から検索し（ステップＳ１４）、その結果、ＩＰアドレス“ａ．ａ．ａ．ａ”に対応したグループ番号“１”を取得することになる。
【００７０】
さらに、端末管理サーバ７は、グループ検索部１７を通じて同ＩＰアドレスに対応したグループ番号を検索すると、同グループ番号と同一の呼出エリアグループ内の全ての基地局集線ゲートウェイ４及び／又はＩＰ基地局５のＩＰアドレスをグループ管理部１３から検索し（ステップＳ１５）、その結果、グループ番号“１”の全基地局、すなわち基地局集線ゲートウェイ４Ａ、４Ｂ及びＩＰ基地局５Ｃの各ＩＰアドレス“ａ．ａ．ａ．ａ”，“ａ．ａ．ａ．ｂ”，“ａ．ａ．ａ．ｃ”を取得することになる。
【００７１】
端末管理サーバ７は、グループ検索部１７を通じて無線端末２の同一呼出エリアグループ内の全てのＩＰアドレスを取得すると、同ＩＰアドレスを含むアドレス確認メッセージ（ＡＣＦ）を、ＩＰアドレス通知部１８を通じて発信端末８に通知する（ステップＳ１６）。
【００７２】
発信端末８は、アドレス確認メッセージ（ＡＣＦ）を受信すると、このアドレス確認メッセージ（ＡＣＦ）に含まれるＩＰアドレスに基づき、発信メッセージ報知部２７を通じて発信メッセージ（ＳＥＴＵＰ）を、同一呼出エリアグループ内の基地局集線ゲートウェイ４及び／又はＩＰ基地局５に対して報知し（ステップＳ１７）、その結果、基地局集線ゲートウェイ４Ａ，４Ｂ及びＩＰ基地局５Ｃに対して発信メッセージ（ＳＥＴＵＰ）を報知することになる。
【００７３】
同一呼出エリアグループ内の全ての基地局集線ゲートウェイ４及び／又はＩＰ基地局５、すなわち基地局集線ゲートウェイ４Ａ、４Ｂ及びＩＰ基地局５Ｃは、発信端末８からの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を発信端末８に夫々送信する（ステップＳ１８）。
【００７４】
これら基地局集線ゲートウェイ４Ａ、４Ｂ及びＩＰ基地局５Ｃは、発信受付メッセージ（ＣＡＬＬＰＲＯＣ）を受信すると、ステップＳ１１の発信操作に関わる“Ｘ”の無線端末２への着信（着呼）メッセージを夫々報知する（ステップＳ１９）。
【００７５】
図６において同一呼出エリアグループ内の全ての基地局集線ゲートウェイ４Ａ，Ｂ及びＩＰ基地局５は、ステップＳ１９にて“Ｘ”の無線端末２への着信メッセージ発報中に、例えばＩＰ基地局５Ｃが“Ｘ”の無線端末２から着信（着呼）メッセージに応答する着信応答（着呼応答）メッセージを受信した場合（ステップＳ２１）、ＩＰ基地局５Ｃは、発信メッセージ（ＳＥＴＵＰ）を“Ｘ”の無線端末２に送信する（ステップＳ２２）。
【００７６】
無線端末２は、着信応答メッセージを受信したＩＰ基地局５Ｃからの発信メッセージ（ＳＥＴＵＰ）を受信すると、発信メッセージ（ＳＥＴＵＰ）に対する発信応答メッセージ（ＣＡＬＬＰＲＯＣ）を送信し（ステップＳ２３）、さらに呼出中メッセージ（ＡＬＥＲＴ）をＩＰ基地局５Ｃに送信し（ステップＳ２４）、呼出音を鳴動出力するものである（ステップＳ２５）。
【００７７】
ＩＰ基地局５Ｃは、無線端末２からの呼出中メッセージ（ＡＬＥＲＴ）を受信すると、無線端末２との通話相手先の発信端末８のＩＰアドレスを要求するアドレス要求メッセージ（ＡＲＱ）を端末管理サーバ７に送信する（ステップＳ２６）。
【００７８】
端末管理サーバ７は、ＩＰ基地局５Ｃからのアドレス要求メッセージ（ＡＲＱ）を受信すると、このアドレス要求に含まれる発信端末８の電話番号に対応するＩＰアドレスを検索し、この検索結果のＩＰアドレスを含むアドレス確認メッセージ（ＡＣＦ）をＩＰ基地局５Ｃに送信する（ステップＳ２７）。
【００７９】
ＩＰ基地局５Ｃは、アドレス確認メッセージ（ＡＣＦ）を受信すると、このアドレス確認メッセージ（ＡＣＦ）に含まれる発信端末８のＩＰアドレスに基づき、無線端末２側の呼出中メッセージ（ＡＬＥＲＴ）を発信端末８に送信する（ステップＳ２８）。
【００８０】
発信端末８では、ＩＰ基地局５Ｃからの呼出中メッセージ（ＡＬＥＲＴ）を受信すると、ハンドセット２１を通じてリングバックトーンを音響出力する（ステップＳ２９）。
【００８１】
さらに、発信端末８は、同一呼出エリアグループ内の他の基地局集線ゲートウェイ４及び／又はＩＰ基地局５、すなわちＩＰ基地局５Ｃ以外の基地局集線ゲートウェイ４Ａ及び４Ｂとの呼接続を解放すべく、解放完了メッセージ（ＲＥＬＣＯＭＰ）を送信する（ステップＳ３０）。尚、基地局集線ゲートウェイ４Ａ及び４Ｂは、発信端末８からの解放完了メッセージ（ＲＥＬＣＯＭＰ）を受信すると、発信端末８との呼接続を解放して無線端末２への着信メッセージの発報動作を停止する。
【００８２】
また、無線端末２は、ステップＳ２５にて呼出音の鳴動出力中に応答操作を検出すると（ステップＳ３１）、接続要求メッセージ（ＣＯＮＮＥＣＴ）をＩＰ基地局５Ｃに送信する（ステップＳ３２）。
【００８３】
ＩＰ基地局５Ｃは、無線端末２からの接続要求メッセージ（ＣＯＮＮＥＣＴ）を受信すると、発信端末８に対して接続要求メッセージ（ＣＯＮＮＥＣＴ）を送信すると共に（ステップＳ３３）、同無線端末２からの接続要求メッセージ（ＣＯＮＮＥＣＴ）に対する接続要求応答メッセージ（ＣＯＮＮＥＣＴ  ＡＣＫ）を無線端末２に送信する（ステップＳ３４）。この結果、ＩＰ基地局５Ｃは、無線端末２との通信を確立すると共に（ステップＳ３５）、発信端末８との通信を確立することで（ステップＳ３６）、無線端末２及び発信端末８間の音声通信を確立することになる。
【００８４】
従って、第１の実施の形態によれば、任意の基地局集線ゲートウェイ４及び／又はＩＰ基地局５の呼出エリア群を同一呼出エリアとする呼出エリアグループを、基地局集線ゲートウェイ４又はＩＰ基地局５毎に設定した場合に、発信端末８から無線端末２への発信操作を検出すると、この無線端末２の位置情報に対応する基地局集線ゲートウェイ４又はＩＰ基地局５の所属する呼出エリアグループ内の全ての基地局集線ゲートウェイ４及び／又はＩＰ基地局５に対して、無線端末２への着信メッセージの発報を指示すべく、発信メッセージ（ＳＥＴＵＰ）を報知すると共に、呼出エリアグループ内の全ての基地局集線ゲートウェイ４及び／又はＩＰ基地局５の内、着信メッセージに対する無線端末２からの応答メッセージを受信した基地局集線ゲートウェイ４又はＩＰ基地局５を通じて無線端末２との通信を確立するようにしたので、基地局集線ゲートウェイ４及び／又はＩＰ基地局５で呼出エリアグループを設定したとしても、同一呼出エリアグループ内の無線端末２への発信から通信確立までの処理動作を確実に実現することができる。
【００８５】
また、第１の実施の形態によれば、位置情報管理部１２及びグループ管理部１３を端末管理サーバ７に配置し、発信端末８から無線端末２への発信操作を検出すると、端末管理サーバ７側で同無線端末２の位置情報である基地局集線ゲートウェイ４又はＩＰ基地局５と同一呼出エリアグループ内の全ての基地局集線ゲートウェイ４及び／又はＩＰ基地局５のＩＰアドレスを検索し、このＩＰアドレスを発信端末８に通知し、この発信端末８側では同ＩＰアドレスに基づき、同呼出エリアグループ内の全ての基地局集線ゲートウェイ４及び／又はＩＰ基地局５に対して、発信メッセージ（ＳＥＴＵＰ）を報知するようにしたので、発信端末８は、呼出エリアグループ内の全ての基地局集線ゲートウェイ４及び／又はＩＰ基地局５に発信メッセージ（ＳＥＴＵＰ）を報知することができると共に、位置情報管理部１２及びグループ管理部１３の管理、位置情報検索部１６及びグループ検索部１７の処理を端末管理サーバ７に負担させることで、発信端末８側の負担を大幅に軽減することができる。
【００８６】
尚、上記第１の実施の形態においては、端末管理サーバ７側に位置情報管理部１２及びグループ管理部１３を配置するようにしたが、グループ管理部１３を端末管理サーバ７側にではなく、発信端末８側に配置するようにしても良く、この場合の実施の形態につき、第２の実施の形態として説明する。尚、第１の実施の形態を示すＩＰ通信システム１と同一の構成については同一符号を付すことで、その重複する構成及び動作の説明については省略する。
【００８７】
（実施の形態２）
第２の実施の形態を示すＩＰ通信システム１が第１の実施の形態と異なるところは、端末管理サーバ７（７Ａ）及び発信端末８（８Ａ）内の内部構成にある。
【００８８】
図８は第２の実施の形態に関わる端末管理サーバ７Ａ内部の概略構成を示すブロック図である。
【００８９】
図８に示す端末管理サーバ７Ａは、サーバ側通信インタフェース１１、位置情報管理部１２及びサーバ側制御部１５を有し、サーバ側制御部１５は、サーバ側通信制御部１５Ａ、位置登録更新部１５Ｂ、位置情報検索部１６及びＩＰアドレス通知部１８Ａを有している。
【００９０】
ＩＰアドレス通知部１８Ａは、位置情報検索部１６の検索結果、すなわち無線端末２の位置情報、すなわち基地局集線ゲートウェイ４又はＩＰ基地局５のＩＰアドレスを含むアドレス確認メッセージ（ＡＣＦ）を、アドレス要求メッセージ（ＡＲＱ）を発信した発信端末８に送信するものである。
【００９１】
図９は第２の実施の形態に関わる発信端末８Ａ内部の概略構成を示すブロック図である。
【００９２】
図９に示す発信端末８Ａは、ハンドセット２１、操作部２２、表示部２３、端末側通信インタフェース２４及び端末側制御部２５に加えて、ＩＰ基地局５又は基地局集線ゲートウェイ４の基地局名毎に、自己に割り当てられたＩＰアドレス及び、自己が所属する呼出エリアグループを識別するグループ番号を対応付けて登録管理する端末側グループ管理部１３Ａを有している。
【００９３】
端末側制御部２５は、端末管理サーバ７Ａ側のＩＰアドレス通知部１８Ａからアドレス確認メッセージ（ＡＣＦ）を受信すると、同アドレス確認メッセージ（ＡＣＦ）に含まれるＩＰアドレスに対応する基地局集線ゲートウェイ４又はＩＰ基地局５の属する呼出エリアグループ内の全ての基地局集線ゲートウェイ４及び／又はＩＰ基地局５のＩＰアドレスを検索する端末側グループ検索部１７Ａを有している。
【００９４】
端末側グループ検索部１７Ａは、端末管理サーバ７Ａ側のＩＰアドレス通知部１８Ａからアドレス確認メッセージ（ＡＣＦ）を受信すると、同アドレス確認メッセージ（ＡＣＦ）に含まれるＩＰアドレスに対応する基地局集線ゲートウェイ４又はＩＰ基地局５の呼出エリアグループを識別するグループ番号を端末側グループ管理部１３Ａから検索し、このグループ番号と同一の基地局集線ゲートウェイ４及び／又はＩＰ基地局５に関わるＩＰアドレスを端末側グループ管理部１３Ａから検索するものである。
【００９５】
発信メッセージ報知部２７は、端末側グループ検索部１７の検索結果のＩＰアドレスに基づき、同一呼出エリアグループ内の全ての基地局集線ゲートウェイ４及び／又はＩＰ基地局５に対して発信メッセージ（ＳＥＴＵＰ）を報知するものである。
【００９６】
尚、第２の実施の形態は、本願請求項１乃至３及び５記載の内容に相当し、これら請求項記載のＩＰ通信システムはＩＰ通信システム１、無線端末は無線端末２、基地局は基地局３、基地局集線ゲートウェイは基地局集線ゲートウェイ４、ＩＰ基地局はＩＰ基地局５、ＩＰネットワークはＩＰネットワーク６、端末管理サーバは端末管理サーバ７Ａ、グループ設定手段はグループ設定部１４、発信報知手段は発信端末８Ａ、発信側ゲートウェイ９及び端末管理サーバ７Ａ、通信確立手段は基地局集線ゲートウェイ４及びＩＰ基地局５、位置情報管理手段は位置情報管理部１２、グループ管理手段は端末側グループ管理部１３Ａ、アドレス要求手段はアドレス要求部２６、位置情報検索手段は位置情報検索部１６、グループ検索手段は端末側グループ検索部１７Ａ、ＩＰアドレス通知手段はＩＰアドレス通知部１８Ａ、発信メッセージ報知手段は発信メッセージ報知部２７に相当するものである。
【００９７】
次に第２の実施の形態を示すＩＰ通信システム１の動作について説明する。図１０は第２の実施の形態を示すＩＰ通信システム１内部の発信端末８Ａから無線端末２への発信操作から無線端末２への着信までの処理動作を示す動作シーケンス図である。
【００９８】
図１０に示す発信端末８Ａは、操作部２２を通じて、電話番号“２０００”番の無線端末２への発信操作を検出すると（ステップＳ４１）、アドレス要求部２６を通じて同電話番号“２０００”番の無線端末２の位置情報を要求するアドレス要求メッセージ（ＡＲＱ）を端末管理サーバ７Ａに通知する（ステップＳ４２）。
【００９９】
端末管理サーバ７Ａは、発信端末８Ａからのアドレス要求メッセージ（ＡＲＱ）を受信すると、位置情報検索部１６を通じて、このアドレス要求メッセージ（ＡＲＱ）に含まれる電話番号“２０００”の無線端末２の位置情報、すなわち同無線端末２を無線収容する基地局集線ゲートウェイ４及び／又はＩＰ基地局５のＩＰアドレスを位置情報管理部１２から検索し（ステップＳ４３）、その結果、電話番号“２０００”に対応した基地局集線ゲートウェイ４ＡのＩＰアドレス“ａ．ａ．ａ．ａ”を取得することになる。
【０１００】
端末管理サーバ７Ａは、位置情報検索部１６の検索結果、同無線端末２の位置情報（ＩＰアドレス）を含むアドレス確認メッセージ（ＡＣＦ）を、ＩＰアドレス通知部１８Ａを通じて発信端末８Ａに送信する（ステップＳ４４）。
【０１０１】
発信端末８Ａは、端末管理サーバ７Ａ側のＩＰアドレス通知部１８Ａからのアドレス確認メッセージ（ＡＣＦ）を受信すると、端末側グループ検索部１７Ａを通じて、このアドレス確認メッセージ（ＡＣＦ）に含まれるＩＰアドレスに対応するグループ番号を端末側グループ管理部１３Ａから検索し（ステップＳ４５）、同グループ番号と同一の呼出エリアグループ内の全ての基地局集線ゲートウェイ４及び／又はＩＰ基地局５のＩＰアドレスを端末側グループ管理部１３Ａから検索し（ステップＳ４６）、その結果、グループ番号“１”の全基地局、すなわち基地局集線ゲートウェイ４Ａ、４Ｂ及びＩＰ基地局５Ｃの各ＩＰアドレス“ａ．ａ．ａ．ａ”，“ａ．ａ．ａ．ｂ”，“ａ．ａ．ａ．ｃ”を夫々取得することになる。
【０１０２】
発信端末８Ａは、端末側グループ検索部１７Ａの検索結果、すなわち同一呼出エリアグループ内の全ての基地局集線ゲートウェイ４及び／又はＩＰ基地局５のＩＰアドレスに基づき、発信メッセージ報知部２７を通じて発信メッセージ（ＳＥＴＵＰ）を報知し（ステップＳ４７）、その結果、基地局集線ゲートウェイ４Ａ、４Ｂ及びＩＰ基地局５Ｃに対して発信メッセージ（ＳＥＴＵＰ）を報知することになる。
【０１０３】
同一呼出エリアグループ内の全ての基地局集線ゲートウェイ４及び／又はＩＰ基地局５、すなわち基地局集線ゲートウェイ４Ａ、４Ｂ及びＩＰ基地局５Ｃは、発信端末８Ａからの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を発信端末８Ａに夫々送信する（ステップＳ４８）。
【０１０４】
これら基地局集線ゲートウェイ４Ａ、４Ｂ及びＩＰ基地局５Ｃは、発信受付メッセージ（ＣＡＬＬＰＲＯＣ）を受信すると、ステップＳ４１の発信操作に関わる無線端末２への着信メッセージを夫々報知し（ステップＳ４９）、図７に示す処理動作に移行する。
【０１０５】
従って、第２の実施の形態によれば、位置情報管理部１２を端末管理サーバ７Ａに配置し、発信端末８Ａから無線端末２への発信操作を検出すると、端末管理サーバ７Ａ側で同無線端末２の位置情報である基地局集線ゲートウェイ４又はＩＰ基地局５のＩＰアドレスを位置情報管理部１２から検索し、このＩＰアドレスを発信端末８Ａに通知すると共に、端末側グループ管理部１３Ａを発信端末８Ａ側に配置し、この発信端末８Ａでは、端末管理サーバ７Ａ側からＩＰアドレスを受信すると、このＩＰアドレスに関わる基地局集線ゲートウェイ４又はＩＰ基地局５が所属する呼出エリアグループのグループ番号を端末側グループ管理部１３Ａから検索し、このグループ番号と同一の呼出エリアグループ内の全ての基地局集線ゲートウェイ４及び／又はＩＰ基地局５のＩＰアドレスに基づき、無線端末２への着信メッセージの発報を指示すべく、発信メッセージ（ＳＥＴＵＰ）を報知するようにしたので、発信端末８Ａは、呼出エリアグループ内の全ての基地局集線ゲートウェイ４及び／又はＩＰ基地局５に発信メッセージ（ＳＥＴＵＰ）を報知することができると共に、位置情報管理部１２の管理及び位置情報検索部１６の処理を端末管理サーバ７Ａに、端末側グループ管理部１３Ａの管理及び端末側グループ検索部１７Ａの処理を発信端末８Ａに負担をさせることで、端末管理サーバ７Ａ側の負担を軽減することができる。
【０１０６】
尚、前述した上記第１の実施の形態においては、グループ管理部１３及びグループ検索部１７を端末管理サーバ７内に配置し、グループ管理部１３の管理及びグループ検索部１７の処理を端末管理サーバ７に負担させるようにしたが、端末管理サーバ７の負担を軽減するために、次に説明するような実施の形態にしても良く、以下に第３の実施の形態として説明する。尚、第１の実施の形態に示すＩＰ通信システム１と同一の構成については同一符号を付すことで、その重複する構成及び動作の説明については省略する。
【０１０７】
（実施の形態３）
第３の実施の形態を示すＩＰ通信システム１が第１の実施の形態と異なるところは、端末管理サーバ７（７Ｂ）、基地局集線ゲートウェイ４（４０）及びＩＰ基地局５（５０）の内部構成にある。
【０１０８】
図１１は第３の実施の形態に関わる端末管理サーバ７Ｂ内部の概略構成を示すブロック図である。
【０１０９】
図１１に示す端末管理サーバ７Ｂは、サーバ側通信インタフェース１１、位置情報管理部１２及びサーバ側制御部１５を有し、サーバ側制御部１５は、サーバ側通信制御部１５Ａ、位置登録更新部１５Ｂ、位置情報検索部１６及びＩＰアドレス通知部１８Ｂを有している。
【０１１０】
ＩＰアドレス通知部１８Ｂは、位置情報検索部１６の検索結果、すなわち無線端末２の位置情報、すなわち基地局集線ゲートウェイ４０又はＩＰ基地局５０のＩＰアドレスを含むアドレス確認メッセージ（ＡＣＦ）を、アドレス要求メッセージ（ＡＲＱ）を発信した発信端末８に送信するものである。
【０１１１】
図１２は第３の実施の形態に関わる基地局集線ゲートウェイ４０内部の概略構成を示すブロック図である。
【０１１２】
図１２に示す基地局集線ゲートウェイ４０は、ゲートウェイ側通信インタフェース３１、基地局通信インタフェース３２、ゲートウェイ側制御部３３及びゲートウェイ側通信制御部３４の他に、自己が所属する呼出エリアグループ内の他の全ての基地局集線ゲートウェイ４０及び／又はＩＰ基地局５０のＩＰアドレスを管理するグループ内アドレス管理部３５を備えている。
【０１１３】
ゲートウェイ側通信制御部３４には、無線端末２及び発信端末８間の全ての制御メッセージを中継制御する中継制御部３６を備えている。
【０１１４】
また、中継制御部３６は、発信端末８側の発信メッセージ報知部２７からの発信メッセージ（ＳＥＴＵＰ）を受信すると、グループ内アドレス管理部３５に管理中の全ＩＰアドレスに基づき、無線端末２への着信メッセージの発報を指示すべく、発信端末８からの発信メッセージ（ＳＥＴＵＰ）を、同一呼出エリアグループ内の基地局集線ゲートウェイ４０及び／又はＩＰ基地局５０に対して中継するものである。
【０１１５】
尚、発信端末８のＩＰアドレスを“ｂ．ｂ．ｂ．ｂ”、ＲＴＰポート番号を“ｂ”、基地局集線ゲートウェイ４０ＡのＩＰアドレスを“ａ．ａ．ａ．ａ”、ＲＴＰポート番号を“ａ”、基地局集線ゲートウェイ４０ＢのＩＰアドレスを“ａ．ａ．ａ．ｂ”、ＲＴＰポート番号を“ａ”、ＩＰ基地局５０ＣのＩＰアドレスを“ａ．ａ．ａ．ｃ”ＲＴＰポート番号を“ａ”とし、基地局集線ゲートウェイ４０Ａ、４０Ｂ及びＩＰ基地局５０Ｃを同一呼出エリアグループとした場合、基地局集線ゲートウェイ４０Ａの中継制御部３６は、発信端末８からＩＰアドレス“ｂ．ｂ．ｂ．ｂ”及びＲＴＰポート番号“ｂ”を使用して発信メッセージ（ＳＥＴＵＰ）を受信すると、このＩＰアドレス及びＲＴＰポート番号を透過して、そのまま、同発信メッセージ（ＳＥＴＵＰ）を、同一呼出エリアグループ内の他の基地局集線ゲートウェイ４０Ｂ及びＩＰ基地局５０Ｃに中継するものである。
【０１１６】
また、中継制御部３６は、中継相手先からＩＰアドレス及びＲＴＰポート番号を使用して制御メッセージを受信すると、そのＩＰアドレス及びＲＴＰポート番号を透過使用して、そのまま制御メッセージを中継送信するものである。
【０１１７】
尚、第３の実施の形態は、本願請求項１及び２、６乃至９記載の内容に相当し、これら請求項記載のＩＰ通信システムはＩＰ通信システム１、無線端末は無線端末２、基地局は基地局３、基地局集線ゲートウェイは基地局集線ゲートウェイ４０、ＩＰ基地局はＩＰ基地局５０、ＩＰネットワークはＩＰネットワーク６、端末管理サーバは端末管理サーバ７Ｂ、グループ設定手段はグループ設定部１４、発信報知手段は発信端末８、発信側ゲートウェイ９及び端末管理サーバ７Ｂ、通信確立手段は基地局集線ゲートウェイ４０及びＩＰ基地局５０、位置情報管理手段は位置情報管理部１２、アドレス要求手段はアドレス要求部２６、位置情報検索手段は位置情報検索部１６、ＩＰアドレス通知手段はＩＰアドレス通知部１８Ｂ、発信メッセージ報知手段は発信メッセージ報知部２７、グループ内アドレス管理手段はグループ内アドレス管理部３５、中継手段は中継制御部３６に相当するものである。
【０１１８】
次に第３の実施の形態を示すＩＰ通信システム１の動作について説明する。図１３及び図１４は第３の実施の形態を示すＩＰ通信システム１内部の発信端末８から無線端末２への発信操作から通信確立までの処理動作を示す動作シーケンス図である。
【０１１９】
尚、説明の便宜上、発信端末８から電話番号“２０００”番の“Ｘ”の無線端末２へ発信した場合を想定し、この“Ｘ”の無線端末２は、基地局集線ゲートウェイ４０Ａ（ＩＰアドレス：“ａ．ａ．ａ．ａ”）、基地局集線ゲートウェイ４０Ｂ（ＩＰアドレス：“ａ．ａ．ａ．ｂ”）及びＩＰ基地局５０Ｃ（ＩＰアドレス：“ａ．ａ．ａ．ｃ”）の呼出エリア群で構成するグループ番号“１”の呼出エリアグループ内に位置し、同呼出エリアグループ内の基地局集線ゲートウェイ４０ＡのＩＰアドレスを位置情報として登録しているものとする。
【０１２０】
また、基地局集線ゲートウェイ４０は、自己が収容する基地局３を通じて無線端末２に対して各種メッセージを送受信するものであるが、説明の便宜上、その基地局３の動作については省略する。
【０１２１】
図１３に示す発信端末８は、操作部２２を通じて、電話番号“２０００”番の無線端末２への発信操作を検出すると（ステップＳ５１）、アドレス要求部２６を通じて同電話番号“２０００”番の無線端末２の位置情報を要求するアドレス要求メッセージ（ＡＲＱ）を端末管理サーバ７Ｂに通知する（ステップＳ５２）。
【０１２２】
端末管理サーバ７Ｂは、発信端末８からのアドレス要求メッセージ（ＡＲＱ）を受信すると、位置情報検索部１６を通じて、このアドレス要求メッセージ（ＡＲＱ）に含まれる電話番号“２０００”の無線端末２の位置情報、すなわち同無線端末２を無線収容する基地局集線ゲートウェイ４０又はＩＰ基地局５０のＩＰアドレスを位置情報管理部１２から検索し（ステップＳ５３）、その結果、電話番号“２０００”に対応した基地局集線ゲートウェイ４０ＡのＩＰアドレス“ａ．ａ．ａ．ａ”を取得することになる。
【０１２３】
端末管理サーバ７Ｂは、位置情報検索部１６の検索結果、同無線端末２の位置情報（ＩＰアドレス）を含むアドレス確認メッセージ（ＡＣＦ）を、ＩＰアドレス通知部１８Ｂを通じて発信端末８に送信する（ステップＳ５４）。
【０１２４】
発信端末８は、端末管理サーバ７Ｂ側のＩＰアドレス通知部１８Ｂからのアドレス確認メッセージ（ＡＣＦ）を受信すると、このアドレス確認メッセージ（ＡＣＦ）に含まれるＩＰアドレスに基づき、発信メッセージ報知部２７を通じて、自己のＩＰアドレス“ｂ．ｂ．ｂ．ｂ”及びＲＴＰポート番号“ｂ”を使用して発信メッセージ（ＳＥＴＵＰ）を基地局集線ゲートウェイ４０Ａに発信する（ステップＳ５５）。
【０１２５】
基地局集線ゲートウェイ４０Ａは、発信端末８からの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を発信端末８に送信すると共に（ステップＳ５６）、無線端末２への着信メッセージを発報する（ステップ５７）。
【０１２６】
さらに、基地局集線ゲートウェイ４０Ａは、グループ内アドレス管理部３５に管理中の同一呼出エリアグループ内の基地局集線ゲートウェイ４０及び／又はＩＰ基地局５０、すなわち基地局集線ゲートウェイ４０Ｂ及びＩＰ基地局５０ＣのＩＰアドレスを読み出し（ステップＳ５８）、これらＩＰアドレスに基づき、発信端末８から受信した発信メッセージ（ＳＥＴＵＰ）をＩＰアドレス“ｂ．ｂ．ｂ．ｂ”及びＲＴＰポート番号“ｂ”を透過使用して、そのまま、中継制御部３６を通じて、基地局集線ゲートウェイ４０Ｂ及びＩＰ基地局５０Ｃに中継報知する（ステップＳ５９）。
【０１２７】
基地局集線ゲートウェイ４０Ｂ及びＩＰ基地局５０Ｃは、基地局集線ゲートウェイ４０Ａで中継報知された発信端末８からの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を基地局集線ゲートウェイ４０Ａに送信すると共に（ステップＳ６０）、無線端末２への着信メッセージを発報する（ステップＳ６１）。
【０１２８】
図１４において同一呼出エリアグループ内の全ての基地局集線ゲートウェイ４０Ａ、４０Ｂ及びＩＰ基地局５０Ｃは、ステップＳ５７及びステップＳ６１にて無線端末２への着信メッセージの発報中に、例えばＩＰ基地局５０Ｃが無線端末２から着信メッセージに応答する着信応答（着呼応答）メッセージを受信した場合（ステップＳ７１）、ＩＰ基地局５０Ｃは、発信メッセージ（ＳＥＴＵＰ）を無線端末２に送信する（ステップＳ７２）。
【０１２９】
無線端末２は、着信応答（着呼応答）メッセージを受信したＩＰ基地局５０Ｃからの発信メッセージ（ＳＥＴＵＰ）を受信すると、発信メッセージ（ＳＥＴＵＰ）に対する発信受付メッセージ（ＣＡＬＬＰＲＯＣ）を送信し（ステップＳ７３）、さらに呼出中メッセージ（ＡＬＥＲＴ）をＩＰ基地局５０Ｃに送信し（ステップＳ７４）、呼出音を鳴動出力するものである（ステップＳ７５）。
【０１３０】
ＩＰ基地局５０Ｃは、無線端末２からの呼出中メッセージ（ＡＬＥＲＴ）を受信すると、同無線端末２の位置情報を更新すべく、同無線端末２の位置情報として同ＩＰ基地局５０Ｃの自己のＩＰアドレス“ａ．ａ．ａ．ｃ”を含む位置登録要求メッセージ（ＲＲＱ）を端末管理サーバ７Ｂに送信する（ステップＳ７６）。
【０１３１】
端末管理サーバ７Ｂは、ＩＰ基地局５０Ｃからの位置登録要求メッセージ（ＲＲＱ）を受信すると、この位置登録要求メッセージ（ＲＲＱ）に含まれる無線端末２の位置情報を、位置登録更新部１５Ｂを通じて位置情報管理部１２に登録更新する（ステップＳ７７）。その結果、位置情報管理部１２は、“Ｘ”の無線端末２の位置情報としてＩＰ基地局５０ＣのＩＰアドレス“ａ．ａ．ａ．ｃ”に登録更新することになる。
【０１３２】
端末管理サーバ７Ｂは、位置情報管理部１２の登録更新動作が完了すると、位置登録完了メッセージ（ＲＣＦ）をＩＰ基地局５０Ｃに送信する（ステップＳ７８）。
【０１３３】
ＩＰ基地局５０Ｃは、位置登録完了メッセージ（ＲＣＦ）を受信すると、無線端末２との通話相手先の発信端末８のＩＰアドレスを要求するアドレス要求メッセージ（ＡＲＱ）を端末管理サーバ７Ｂに送信する（ステップＳ７９）。
【０１３４】
端末管理サーバ７Ｂは、ＩＰ基地局５０Ｃからのアドレス要求メッセージ（ＡＲＱ）を受信すると、このアドレス要求メッセージ（ＡＲＱ）に含まれる発信端末８の電話番号に対応するＩＰアドレスを検索し、この検索結果のＩＰアドレスを含むアドレス確認メッセージ（ＡＣＦ）をＩＰ基地局５０Ｃに送信する（ステップＳ８０）。
【０１３５】
ＩＰ基地局５０Ｃは、アドレス確認メッセージ（ＡＣＦ）を受信すると、自己のＩＰアドレス“ａ．ａ．ａ．ｃ”及びＲＴＰポート番号“ａ”を使用して、このアドレス確認メッセージ（ＡＣＦ）に含まれる発信端末８のＩＰアドレスに基づき、無線端末２側の呼出中メッセージ（ＡＬＥＲＴ）を、中継中の基地局集線ゲートウェイ４０Ａに送信する（ステップＳ８１）。
【０１３６】
基地局集線ゲートウェイ４０Ａは、無線端末２からの着信応答メッセージを受信したＩＰ基地局５０Ｃから呼出中メッセージ（ＡＬＥＲＴ）を受信すると、図１３に示すステップＳ５７で発報中の着信メッセージの発報を停止し（ステップＳ８２）、ＩＰ基地局５０ＣのＩＰアドレス“ａ．ａ．ａ．ｃ”及びＲＴＰポート番号“ａ”を透過使用して、そのまま、中継制御部３６を通じて、呼出中メッセージ（ＡＬＥＲＴ）を中継し（ステップＳ８３）、この呼出中メッセージ（ＡＬＥＲＴ）を発信端末８に中継送信する（ステップＳ８４）。
【０１３７】
発信端末８は、呼出中メッセージ（ＡＬＥＲＴ）を受信すると、ハンドセット２１を通じてリングバックトーンを音響出力する（ステップＳ８５）。
【０１３８】
また、基地局集線ゲートウェイ４０Ａは、ＩＰ基地局５０Ｃからの呼出中メッセージ（ＡＬＥＲＴ）を受信すると、図１３に示すステップＳ６１にて発報中の着信メッセージの発報停止を指示すべく、基地局集線ゲートウェイ４０Ｂに対して解放完了メッセージ（ＲＥＬＣＯＭＰ）を送信する（ステップＳ８６）。その結果、基地局集線ゲートウェイ４０Ｂは、解放完了メッセージ（ＲＥＬＣＯＭＰ）を受信すると、発報中の着信メッセージの発報を停止する（ステップＳ８７）。
【０１３９】
また、無線端末２は、ステップＳ７５にて呼出音の鳴動出力中に応答操作を検出すると（ステップＳ８８）、接続要求メッセージ（ＣＯＮＮＥＣＴ）をＩＰ基地局５０Ｃに送信する（ステップＳ８９）。
【０１４０】
ＩＰ基地局５０Ｃは、無線端末２からの接続要求メッセージ（ＣＯＮＮＥＣＴ）を受信すると、同無線端末２からの接続要求メッセージ（ＣＯＮＮＥＣＴ）に対する接続要求応答メッセージ（ＣＯＮＮＥＣＴ  ＡＣＫ）を無線端末２に送信すると共に（ステップＳ９０）、自己のＩＰアドレス“ａ．ａ．ａ．ｃ”及びＲＴＰポート番号“ａ”を使用して、接続要求メッセージ（ＣＯＮＮＥＣＴ）を基地局集線ゲートウェイ４０Ａに送信する（ステップＳ９１）。
【０１４１】
基地局集線ゲートウェイ４０Ａは、ＩＰ基地局５０Ｃからの接続要求メッセージ（ＣＯＮＮＥＣＴ）を受信すると、ＩＰ基地局５０ＣのＩＰアドレス“ａ．ａ．ａ．ｃ”及びＲＴＰポート番号“ａ”を透過使用して、そのまま、中継制御部３６を通じて、接続要求メッセージ（ＣＯＮＮＥＣＴ）を中継して（ステップＳ９２）、この接続要求メッセージ（ＣＯＮＮＥＣＴ）を発信端末８に中継送信する（ステップＳ９３）。この結果、ＩＰ基地局５０Ｃは、無線端末２との通信を確立すると共に（ステップＳ９４）、発信端末８との通信を確立することで（ステップＳ９５）、基地局集線ゲートウェイ４０Ａの中継制御部３６を経由することなく、ＩＰ基地局５０Ｃを通じて無線端末２及び発信端末８間の音声通信を確立することになる。
【０１４２】
このように図１３及び図１４に示す動作シーケンスによれば、位置情報管理部１２を端末管理サーバ７Ｂに配置し、発信端末８から無線端末２への発信操作を検出すると、端末管理サーバ７Ｂ側で同無線端末２の位置情報である基地局集線ゲートウェイ４０ＡのＩＰアドレスを位置情報管理部１２から検索し、このＩＰアドレスを発信端末８に通知し、発信端末８側では同ＩＰアドレスに基づき基地局集線ゲートウェイ４０Ａに対して発信メッセージ（ＳＥＴＵＰ）を報知すると共に、同発信メッセージ（ＳＥＴＵＰ）を受信した基地局集線ゲートウェイ４０Ａ側では、発信メッセージ（ＳＥＴＵＰ）を受信すると、グループ内アドレス管理部３５に管理中の全ＩＰアドレスに基づき、無線端末２への着信メッセージの発報を指示すべく、発信メッセージ（ＳＥＴＵＰ）を同一呼出エリアグループ内の基地局集線ゲートウェイ４０Ｂ及びＩＰ基地局５０Ｃに対して中継するようにしたので、基地局集線ゲートウェイ４０Ａでは、発信端末８から受信した発信メッセージ（ＳＥＴＵＰ）を、同一呼出エリアグループ内の他の基地局集線ゲートウェイ４０Ｂ及びＩＰ基地局５０Ｃに中継することができる。
【０１４３】
また、図１３及び図１４に示す動作シーケンスによれば、基地局集線ゲートウェイ４０Ａ経由でＩＰ基地局５０Ｃ及び発信端末８間の通信に使用するＩＰアドレス及びＲＴＰポート番号をそのまま透過して、基地局集線ゲートウェイ４０Ａ側の中継制御部３６を通じて全ての制御メッセージを中継するようにしたので、ＩＰ基地局５０Ｃ及び発信端末８は、基地局集線ゲートウェイ４０Ａの中継制御部３６を通じて中継されていることを意識することなく、全ての制御メッセージを送受信することができる。
【０１４４】
尚、ＩＰ基地局５０Ｃを通じて無線端末２及び発信端末８間の音声通信が確立すると、ステップＳ９５に示すように基地局集線ゲートウェイ４０Ａの中継制御部３６を中継することなく、無線端末２及び発信端末８間の音声通信はＩＰ基地局５０Ｃを通じて実行することになる。
【０１４５】
しかし、無線端末２及び発信端末８間の音声通信中は基地局集線ゲートウェイ４０Ａの中継制御部３６を経由することなく、ＩＰ基地局５０Ｃを通じて無線端末２及び発信端末８間の音声通信を実行することになるが、例えば保留操作に伴う保留要求メッセージ等の制御メッセージが発生した場合は、次のような処理動作を行うものである。
【０１４６】
図１５はＩＰ基地局５０Ｃを通じて無線端末２及び発信端末８間の音声通信中に無線端末２側で保留操作が発生した場合のＩＰ通信システム１の処理動作を示す動作シーケンス図である。
【０１４７】
図１５において無線端末２は、ＩＰ基地局５０Ｃを通じて無線端末２及び発信端末８間の音声通信中に、保留操作を検出すると（ステップＳ１０１）、保留メッセージ（ＩＮＦＯ）をＩＰ基地局５０Ｃに送信する（ステップＳ１０２）。
【０１４８】
ＩＰ基地局５０Ｃは、保留メッセージ（ＩＮＦＯ）を受信すると、自己のＩＰアドレス“ａ．ａ．ａ．ｃ”及びＲＴＰポート番号“ａ”を使用して、保留要求メッセージ（ＦＡＣＩＬＩＴＹ（ｒｅｍｏｔｅ．Ｈｏｌｄ．ｉｎｖ））を中継中の基地局集線ゲートウェイ４０Ａに送信する（ステップＳ１０３）。
【０１４９】
基地局集線ゲートウェイ４０Ａは、保留要求メッセージ（ＦＡＣＩＬＩＴＹ（ｒｅｍｏｔｅ．Ｈｏｌｄ．ｉｎｖ））を受信すると、ＩＰ基地局５０ＣのＩＰアドレス“ａ．ａ．ａ．ｃ”及びＲＴＰポート番号“ａ”を透過使用して、そのまま、中継制御部３６を通じて、この保留要求メッセージ（ＦＡＣＩＬＴＹ（ｒｅｍｏｔｅ．Ｈｏｌｄ．ｉｎｖ））を中継し（ステップＳ１０４）、この保留要求メッセージ（ＦＡＣＩＬＩＴＹ（ｒｅｍｏｔｅ．Ｈｏｌｄ．ｉｎｖ））を発信端末８に中継送信する（ステップＳ１０５）。
【０１５０】
発信端末８は、保留要求メッセージ（ＦＡＣＩＬＩＴＹ（ｒｅｍｏｔｅ．Ｈｏｌｄ．ｉｎｖ））を受信すると、保留確認メッセージ（ＦＡＣＩＬＩＴＹ（ｒｅｍｏｔｅ．Ｈｏｌｄ．ｒｒ））を、自己のＩＰアドレス“ｂ．ｂ．ｂ．ｂ”及びＲＴＰポート番号“ｂ”を使用して、中継中の基地局集線ゲートウェイ４０Ａに送信すると共に（ステップＳ１０６）、ハンドセット２１を通じて保留音を音響出力する（ステップＳ１０７）。
【０１５１】
基地局集線ゲートウェイ４０Ａは、発信端末８からの保留確認メッセージ（ＦＡＣＩＬＩＴＹ（ｒｅｍｏｔｅ．Ｈｏｌｄ．ｒｒ））を受信すると、発信端末８のＩＰアドレス“ｂ．ｂ．ｂ．ｂ”及びＲＴＰポート番号“ｂ”を透過使用して、そのまま、中継制御部３６を通じて、保留確認メッセージ（ＦＡＣＩＬＩＴＹ（ｒｅｍｏｔｅ．Ｈｏｌｄ．ｒｒ））を中継し（ステップＳ１０８）、この保留確認メッセージ（ＦＡＣＩＬＩＴＹ（ｒｅｍｏｔｅ．Ｈｏｌｄ．ｒｒ））をＩＰ基地局５０Ｃに中継送信する（ステップＳ１０９）。
【０１５２】
ＩＰ基地局５０Ｃは、保留確認メッセージ（ＦＡＣＩＬＩＴＹ（ｒｅｍｏｔｅ．Ｈｏｌｄ．ｒｒ））を受信すると、無線端末２に対して発信音を送信する（ステップＳ１１０）。
【０１５３】
そして、保留中の無線端末２は、切断操作を検出すると（ステップＳ１１１）、切断メッセージ（ＤＩＳＣＯＮＮＥＣＴ）をＩＰ基地局５０Ｃに送信する（ステップＳ１１２）。
【０１５４】
ＩＰ基地局５０Ｃは、保留中の無線端末２からの切断メッセージ（ＤＩＳＣＯＮＮＥＣＴ）を受信すると、解放要求メッセージ（ＲＥＬＥＡＳＥ）を無線端末２に送信する（ステップＳ１１３）。
【０１５５】
無線端末２は、ＩＰ基地局５０Ｃからの解放要求メッセージ（ＲＥＬＥＡＳＥ）を受信すると、解放完了メッセージ（ＲＥＬＣＯＭＰ）をＩＰ基地局５０Ｃに送信する（ステップＳ１１４）。
【０１５６】
ＩＰ基地局５０Ｃは、無線端末２からの解放要求メッセージ（ＲＥＬＣＯＭＰ）を受信すると、自己のＩＰアドレス“ａ．ａ．ａ．ｃ”及びＲＴＰポート番号“ａ”を使用して、解放完了メッセージ（ＲＥＬＣＯＭＰ）を中継中の基地局集線ゲートウェイ４０Ａに送信する（ステップＳ１１５）。
【０１５７】
基地局集線ゲートウェイ４０Ａは、ＩＰ基地局５０Ｃからの解放完了メッセージ（ＲＥＬＣＯＭＰ）を受信すると、ＩＰ基地局５０ＣのＩＰアドレス“ａ．ａ．ａ．ｃ”及びＲＴＰポート番号“ａ”を透過使用して、そのまま、中継制御部３６を通じて、この解放完了メッセージ（ＲＥＬＣＯＭＰ）を中継し（ステップＳ１１６）、この解放完了メッセージ（ＲＥＬＣＯＭＰ）を発信端末８に中継送信する（ステップＳ１１７）。その結果、ＩＰ基地局５０Ｃ及び基地局集線ゲートウェイ４０Ａ経由で発信端末８及び無線端末２間の保留は切断することになる。
【０１５８】
このように図１５に示す動作シーケンスによれば、例えばＩＰ基地局５０Ｃを通じて発信端末８及び無線端末２間の音声通信中に、無線端末２側の保留操作に伴う保留要求メッセージ等の制御メッセージが発生した場合、基地局集線ゲートウェイ４０Ａ側の中継制御部３６は、同制御メッセージを中継して、発信端末８及び無線端末２間の制御メッセージの送受信を行うことができる。
【０１５９】
第３の実施の形態によれば、位置情報管理部１２を端末管理サーバ７Ｂに配置し、発信端末８から無線端末２への発信操作を検出すると、端末管理サーバ７Ｂ側で同無線端末２の位置情報である基地局集線ゲートウェイ４０又はＩＰ基地局５０のＩＰアドレスを位置情報管理部１２から検索し、このＩＰアドレスを発信端末８に通知し、発信端末８側では同ＩＰアドレスに基づき基地局集線ゲートウェイ４０又はＩＰ基地局５０に対して発信メッセージ（ＳＥＴＵＰ）を報知すると共に、同発信メッセージ（ＳＥＴＵＰ）を受信した基地局集線ゲートウェイ４０又はＩＰ基地局５０側では、発信メッセージ（ＳＥＴＵＰ）を受信すると、グループ内アドレス管理部３５に管理中の全ＩＰアドレスに基づき、無線端末２への着信メッセージの発報を指示すべく、発信メッセージ（ＳＥＴＵＰ）を同一呼出エリアグループ内の基地局集線ゲートウェイ４０及び／又はＩＰ基地局５０に対して中継するようにしたので、基地局集線ゲートウェイ４０又はＩＰ基地局５０では、発信端末８から受信した発信メッセージ（ＳＥＴＵＰ）を、同一呼出エリアグループ内の他の基地局集線ゲートウェイ４０及び／又はＩＰ基地局５０に中継することができると共に、位置情報管理部１２の管理及び位置情報検索部１６の処理を端末管理サーバ７Ｂに、グループ内アドレス管理部３５の管理及び発信メッセージ（ＳＥＴＵＰ）の中継負担を基地局集線ゲートウェイ４０又はＩＰ基地局５０に負担させることで、端末管理サーバ７Ｂ側の負担を大幅に軽減することができる。
【０１６０】
また、第３の実施の形態によれば、着信メッセージに対する無線端末２からの着信応答メッセージを同一呼出エリアグループ内の他の基地局集線ゲートウェイ４０又はＩＰ基地局５０が受信した場合、同基地局集線ゲートウェイ４０又はＩＰ基地局５０にて受信した無線端末からの着信応答メッセージを、中継制御部３６を通じて、発信端末８に対して中継するようにしたので、中継制御部３６は、同一呼出エリアグループ内の他の基地局集線ゲートウェイ４０又はＩＰ基地局５０が受信した無線端末２からの着信応答メッセージを、発信端末８に中継することができる。
【０１６１】
また、第３の実施の形態によれば、中継制御部３６を通じて、着信応答メッセージ受信後の通信確立から通信終了までの全ての制御メッセージを中継するようにしたので、中継制御部３６は、着信応答メッセージ受信後の通信確立から通信終了までの全ての制御メッセージを中継することができる。
【０１６２】
また、第３の実施の形態によれば、基地局集線ゲートウェイ４０又はＩＰ基地局５０と、発信端末８との間の通信に使用するＩＰアドレス及びＲＴＰポート番号を透過使用して、そのまま、中継制御部３６を通じて、全ての制御メッセージを中継するようにしたので、基地局集線ゲートウェイ４０又はＩＰ基地局５０と、発信端末８とは、中継制御部３６で中継されていることを意識することなく、全ての制御メッセージを送受信することができる。
【０１６３】
尚、第３の実施の形態に関わる基地局集線ゲートウェイ４０Ａの中継制御部３６では、例えば発信端末８からＩＰ基地局５０Ｃに無線収容する無線端末２への制御メッセージを中継する場合、発信端末８のＩＰアドレス及びＲＴＰポート番号を透過して発信端末８からＩＰ基地局５０Ｃへの制御メッセージを中継すると共に、無線端末２から発信端末８への制御メッセージを中継する場合、無線端末２を無線収容するＩＰ基地局５０ＣのＩＰアドレス及びＲＴＰポート番号を透過してＩＰ基地局５０Ｃから発信端末８への制御メッセージを中継するようにしたが、中継制御部３６が制御メッセージを中継する際に、ＩＰアドレス及びＲＴＰポート番号を透過するのではなく、自己のＩＰアドレス及びＲＴＰポート番号に置き換えて制御メッセージを中継するようにしても良く、この場合の実施の形態につき、第４の実施の形態として説明する。尚、第３の実施の形態を示すＩＰ通信システム１と同一の構成については同一符号を付すことで、その重複する構成及び動作の説明については省略する。
【０１６４】
（実施の形態４）
そこで、第４の実施の形態に関わる基地局集線ゲートウェイ４Ａの中継制御部３６Ａでは、例えばＲＴＰポート番号を“ａ”及び“ｂ”を備え、例えば発信端末８からＩＰ基地局５０Ｃへの制御メッセージを中継する場合、発信端末８のＩＰアドレス“ｂ．ｂ．ｂ．ｂ”及びＲＴＰポート番号“ｂ”を自己のＩＰアドレス“ａ．ａ．ａ．ａ”及びＲＴＰポート番号“ａ”に変換して制御メッセージを中継すると共に、ＩＰ基地局５０Ｃから発信端末８への制御メッセージを中継する場合、ＩＰ基地局５０ＣのＩＰアドレス“ａ．ａ．ａ．ｃ”及びＲＴＰポート番号“ａ”を自己のＩＰアドレス“ａ．ａ．ａ．ａ”及びＲＴＰポート番号“ｂ”に変換して制御メッセージを中継するものである。
【０１６５】
また、中継制御部３６Ａは、中継相手先からＩＰアドレス及びＲＴＰポート番号を使用して制御メッセージを受信すると、そのＩＰアドレス及びＲＴＰポート番号を自己のＩＰアドレス及びＲＴＰポート番号に変換して、制御メッセージを中継送信するものである。
【０１６６】
尚、第４の実施の形態は、本願請求項１、２、６、７、８及び１０記載の内容に相当し、これら請求項記載のＩＰ通信システムはＩＰ通信システム１、無線端末は無線端末２、基地局は基地局３、基地局集線ゲートウェイは基地局集線ゲートウェイ４０、ＩＰ基地局はＩＰ基地局５０、ＩＰネットワークはＩＰネットワーク６、端末管理サーバは端末管理サーバ７Ｂ、グループ設定手段はグループ設定部１４、発信報知手段は発信端末８、発信側ゲートウェイ９及び端末管理サーバ７Ｂ、通信確立手段は基地局集線ゲートウェイ４０及びＩＰ基地局５０、位置情報管理手段は位置情報管理部１２、アドレス要求手段はアドレス要求部２６、位置情報検索手段は位置情報検索部１６、ＩＰアドレス通知手段はＩＰアドレス通知部１８Ｂ、発信メッセージ報知手段は発信メッセージ報知部２７、グループ内アドレス管理手段はグループ内アドレス管理部３５、中継手段は中継制御部３６Ａに相当するものである。
【０１６７】
次に第４の実施の形態を示すＩＰ通信システム１の動作について説明する。図１６及び図１７は第４の実施の形態を示すＩＰ通信システム１内部の発信端末８から無線端末２への発信操作から通信確立までの処理動作を示す動作シーケンス図である。
【０１６８】
図１６に示す発信端末８は、操作部２２を通じて、電話番号“２０００”番の無線端末２への発信操作を検出すると（ステップＳ１２１）、アドレス要求部２６を通じて同電話番号“２０００”番の無線端末２の位置情報を要求するアドレス要求メッセージ（ＡＲＱ）を端末管理サーバ７Ｂに通知する（ステップＳ１２２）。
【０１６９】
端末管理サーバ７Ｂは、発信端末８からのアドレス要求メッセージ（ＡＲＱ）を受信すると、位置情報検索部１６を通じて、このアドレス要求メッセージ（ＡＲＱ）に含まれる電話番号“２０００”の無線端末２の位置情報、すなわち同無線端末２を無線収容する基地局集線ゲートウェイ４０又はＩＰ基地局５０のＩＰアドレスを位置情報管理部１２から検索し（ステップＳ１２３）、その結果、電話番号“２０００”に対応した基地局集線ゲートウェイ４０ＡのＩＰアドレス“ａ．ａ．ａ．ａ”を取得することになる。
【０１７０】
端末管理サーバ７Ｂは、位置情報検索部１６の検索結果、同無線端末２の位置情報（ＩＰアドレス）を含むアドレス確認メッセージ（ＡＣＦ）を、ＩＰアドレス通知部１８Ｂを通じて発信端末８に送信する（ステップＳ１２４）。
【０１７１】
発信端末８は、端末管理サーバ７Ｂ側のＩＰアドレス通知部１８Ｂからのアドレス確認メッセージ（ＡＣＦ）を受信すると、このアドレス確認メッセージ（ＡＣＦ）に含まれるＩＰアドレスに基づき、発信メッセージ報知部２７を通じて、自己のＩＰアドレス“ｂ．ｂ．ｂ．ｂ”及びＲＴＰポート番号“ｂ”を使用して発信メッセージ（ＳＥＴＵＰ）を基地局集線ゲートウェイ４０Ａに発信する（ステップＳ１２５）。
【０１７２】
基地局集線ゲートウェイ４０Ａは、発信端末８からの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を発信端末８に送信すると共に（ステップＳ１２６）、無線端末２への着信メッセージを発報する（ステップ１２７）。
【０１７３】
さらに、基地局集線ゲートウェイ４０Ａは、グループ内アドレス管理部３５に管理中の同一呼出エリアグループ内の基地局集線ゲートウェイ４０及び／又はＩＰ基地局５０、すなわち基地局集線ゲートウェイ４０Ｂ及びＩＰ基地局５０ＣのＩＰアドレスを読み出し（ステップＳ１２８）、これらＩＰアドレスに基づき、発信端末８から受信した発信メッセージ（ＳＥＴＵＰ）を中継する際に、中継制御部３６Ａを通じて、発信端末８のＩＰアドレス“ｂ．ｂ．ｂ．ｂ”及びＲＴＰポート番号“ｂ”を自己のＩＰアドレス“ａ．ａ．ａ．ａ”及びＲＴＰポート番号“ａ”に変換し（ステップＳ１２９）、この変換した自己のＩＰアドレス“ａ．ａ．ａ．ａ”及びＲＴＰポート番号“ａ”を使用して、発信端末８からの発信メッセージ（ＳＥＴＵＰ）を基地局集線ゲートウェイ４０Ｂ及びＩＰ基地局５０Ｃに中継報知する（ステップＳ１３０）。
【０１７４】
基地局集線ゲートウェイ４０Ｂ及びＩＰ基地局５０Ｃは、基地局集線ゲートウェイ４０Ａで中継報知された発信端末８からの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を基地局集線ゲートウェイ４０Ａに送信すると共に（ステップＳ１３１）、無線端末２への着信メッセージを発報する（ステップＳ１３２）。
【０１７５】
図１７において同一呼出エリアグループ内の全ての基地局集線ゲートウェイ４０Ａ、４０Ｂ及びＩＰ基地局５０Ｃは、ステップＳ１２７及びステップＳ１３２にて無線端末２への着信メッセージの発報中に、例えばＩＰ基地局５０Ｃが無線端末２から着信メッセージに応答する着信応答（着呼応答）メッセージを受信した場合（ステップＳ１４１）、ＩＰ基地局５０Ｃは、ＳＥＴＵＰを無線端末２に送信する（ステップＳ１４２）。
【０１７６】
無線端末２は、着信応答（着呼応答）メッセージを受信したＩＰ基地局５０Ｃからの発信メッセージ（ＳＥＴＵＰ）を受信すると、発信メッセージ（ＳＥＴＵＰ）に対する発信受付メッセージ（ＣＡＬＬＰＲＯＣ）を送信し（ステップＳ１４３）、さらに呼出中メッセージ（ＡＬＥＲＴ）をＩＰ基地局５０Ｃに送信し（ステップＳ１４４）、呼出音を鳴動出力するものである（ステップＳ１４５）。
【０１７７】
ＩＰ基地局５０Ｃは、無線端末２からの呼出中メッセージ（ＡＬＥＲＴ）を受信すると、同無線端末２の位置情報を更新すべく、同無線端末２の位置情報として同ＩＰ基地局５０Ｃの自己のＩＰアドレス“ａ．ａ．ａ．ｃ”を含む位置登録要求メッセージ（ＲＲＱ）を端末管理サーバ７Ｂに送信する（ステップＳ１４６）。
【０１７８】
端末管理サーバ７Ｂは、ＩＰ基地局５０Ｃからの位置登録要求メッセージ（ＲＲＱ）を受信すると、この位置登録要求メッセージ（ＲＲＱ）に含まれる無線端末２の位置情報を、位置登録更新部１５Ｂを通じて位置情報管理部１２に登録更新する（ステップＳ１４７）。その結果、位置情報管理部１２は、“Ｘ”の無線端末２の位置情報としてＩＰ基地局５０ＣのＩＰアドレス“ａ．ａ．ａ．ｃ”に登録更新することになる。
【０１７９】
端末管理サーバ７Ｂは、位置情報管理部１２の登録更新動作が完了すると、位置登録完了メッセージ（ＲＣＦ）をＩＰ基地局５０Ｃに送信する（ステップＳ１４８）。
【０１８０】
ＩＰ基地局５０Ｃは、位置登録完了メッセージ（ＲＣＦ）を受信すると、無線端末２との通話相手先の発信端末８のＩＰアドレスを要求するアドレス要求メッセージ（ＡＲＱ）を端末管理サーバ７Ｂに送信する（ステップＳ１４９）。
【０１８１】
端末管理サーバ７Ｂは、ＩＰ基地局５０Ｃからのアドレス要求メッセージ（ＡＲＱ）を受信すると、このアドレス要求メッセージ（ＡＲＱ）に含まれる発信端末８の電話番号に対応するＩＰアドレスを検索し、この検索結果のＩＰアドレスを含むアドレス確認メッセージ（ＡＣＦ）をＩＰ基地局５０Ｃに送信する（ステップＳ１５０）。
【０１８２】
ＩＰ基地局５０Ｃは、アドレス確認メッセージ（ＡＣＦ）を受信すると、自己のＩＰアドレス“ａ．ａ．ａ．ｃ”及びＲＴＰポート番号“ａ”を使用して、このアドレス確認メッセージ（ＡＣＦ）に含まれる発信端末８のＩＰアドレスに基づき、無線端末２側の呼出中メッセージ（ＡＬＥＲＴ）を、中継報知中の基地局集線ゲートウェイ４０Ａに送信する（ステップＳ１５１）。
【０１８３】
基地局集線ゲートウェイ４０Ａは、無線端末２からの着信応答メッセージを受信したＩＰ基地局５０Ｃから呼出中メッセージ（ＡＬＥＲＴ）を受信すると、図１６に示すステップＳ１２７で発報中の着信メッセージの発報を停止し（ステップＳ１５２）、中継制御部３６Ａを通じて、ＩＰ基地局５０ＣのＩＰアドレス“ａ．ａ．ａ．ｃ”及びＲＴＰポート番号“ａ”を自己のＩＰアドレス“ａ．ａ．ａ．ａ”及びＲＴＰポート番号“ｂ”に変換し（ステップＳ１５３）、この変換した自己のＩＰアドレス“ａ．ａ．ａ．ａ”及びＲＴＰポート番号“ｂ”を使用して、ＩＰ基地局５０Ｃからの呼出中メッセージ（ＡＬＥＲＴ）を発信端末８に中継送信する（ステップＳ１５４）。
【０１８４】
発信端末８は、呼出中メッセージ（ＡＬＥＲＴ）を受信すると、ハンドセット２１を通じてリングバックトーンを音響出力する（ステップＳ１５５）。
【０１８５】
また、基地局集線ゲートウェイ４０Ａは、ＩＰ基地局５０Ｃからの呼出中メッセージ（ＡＬＥＲＴ）を受信すると、図１６に示すステップＳ１３２にて発報中の着信メッセージの発報停止を指示すべく、基地局集線ゲートウェイ４０Ｂに対して解放完了メッセージ（ＲＥＬＣＯＭＰ）を送信する（ステップＳ１５６）。その結果、基地局集線ゲートウェイ４０Ｂは、解放完了メッセージ（ＲＥＬＣＯＭＰ）を受信すると、発報中の着信メッセージの発報を停止する（ステップＳ１５７）。
【０１８６】
また、無線端末２は、ステップＳ１４５にて呼出音の鳴動出力中に応答操作を検出すると（ステップＳ１５８）、接続要求メッセージ（ＣＯＮＮＥＣＴ）をＩＰ基地局５０Ｃに送信する（ステップＳ１５９）。
【０１８７】
ＩＰ基地局５０Ｃは、無線端末２からの接続要求メッセージ（ＣＯＮＮＥＣＴ）を受信すると、同無線端末２からの接続要求メッセージ（ＣＯＮＮＥＣＴ）に対する接続要求応答メッセージ（ＣＯＮＮＥＣＴ  ＡＣＫ）を無線端末２に送信すると共に（ステップＳ１６０）、自己のＩＰアドレス“ａ．ａ．ａ．ｃ”及びＲＴＰポート番号“ａ”を使用して、接続要求メッセージ（ＣＯＮＮＥＣＴ）を基地局集線ゲートウェイ４０Ａに送信する（ステップＳ１６１）。
【０１８８】
基地局集線ゲートウェイ４０Ａは、ＩＰ基地局５０Ｃからの接続要求メッセージ（ＣＯＮＮＥＣＴ）を受信すると、中継制御部３６Ａを通じて、ＩＰ基地局５０ＣのＩＰアドレス“ａ．ａ．ａ．ｃ”及びＲＴＰポート番号“ａ”を自己のＩＰアドレス“ａ．ａ．ａ．ａ”及びＲＴＰポート番号“ｂ”に変換し（ステップＳ１６２）、この変換した自己のＩＰアドレス“ａ．ａ．ａ．ａ”及びＲＴＰポート番号“ｂ”を使用して、ＩＰ基地局５０Ｃからの接続要求メッセージ（ＣＯＮＮＥＣＴ）を発信端末８に中継送信する（ステップＳ１６３）。この結果、ＩＰ基地局５０Ｃは、無線端末２との通信を確立すると共に（ステップＳ１６４）、基地局集線ゲートウェイ４０Ａとの通信を確立し（ステップＳ１６５）、基地局集線ゲートウェイ４０Ａは、発信端末８との通信を確立することで（ステップＳ１６６）、ＩＰ基地局５０Ｃ及び基地局集線ゲートウェイ４０Ａを通じて無線端末２及び発信端末８間の音声通信を確立することになる。
【０１８９】
このように図１６及び図１７に示す動作シーケンスによれば、位置情報管理部１２を端末管理サーバ７Ｂに配置し、発信端末８から無線端末２への発信操作を検出すると、端末管理サーバ７Ｂ側で同無線端末２の位置情報である基地局集線ゲートウェイ４０ＡのＩＰアドレスを位置情報管理部１２から検索し、このＩＰアドレスを発信端末８に通知し、発信端末８側では同ＩＰアドレスに基づき基地局集線ゲートウェイ４０Ａに対して発信メッセージ（ＳＥＴＵＰ）を報知すると共に、同発信メッセージ（ＳＥＴＵＰ）を受信した基地局集線ゲートウェイ４０Ａ側では、発信メッセージ（ＳＥＴＵＰ）を受信すると、グループ内アドレス管理部３５に管理中の全ＩＰアドレスに基づき、無線端末２への着信メッセージの発報を指示すべく、発信メッセージ（ＳＥＴＵＰ）を同一呼出エリアグループ内の基地局集線ゲートウェイ４０Ｂ及びＩＰ基地局５０Ｃに対して中継するようにしたので、基地局集線ゲートウェイ４０Ａでは、発信端末８から受信した発信メッセージ（ＳＥＴＵＰ）を、同一呼出エリアグループ内の他の基地局集線ゲートウェイ４０Ｂ及びＩＰ基地局５０Ｃに中継することができる。
【０１９０】
このように図１６及び図１７に示す動作シーケンスによれば、ＩＰ基地局５０及び発信端末８間の通信に使用するＩＰアドレス及びＲＴＰポート番号を自己のＩＰアドレス及びＲＴＰポート番号に置き換えて、基地局集線ゲートウェイ４０Ａ側の中継制御部３６Ａを通じて全ての制御メッセージを中継するようにしたので、ＩＰ基地局５０Ｃ及び発信端末８は、全ての制御メッセージを送受信することができる。
【０１９１】
次にＩＰ基地局５０Ｃ及び基地局集線ゲートウェイ４０Ａを通じて無線端末２及び発信端末８間の音声通信中に、例えば保留操作に伴う保留要求メッセージ等の制御メッセージが発生した場合の処理動作について説明する。
【０１９２】
図１８はＩＰ基地局５０Ｃ及び基地局集線ゲートウェイ４０Ａを通じて無線端末２及び発信端末８間の音声通信中に無線端末２側で保留操作が発生した場合のＩＰ通信システム１の処理動作を示す動作シーケンス図である。
【０１９３】
図１８において無線端末２は、ＩＰ基地局５０Ｃ及び基地局集線ゲートウェイ４０Ａを通じて無線端末２及び発信端末８間の音声通信中に、保留操作を検出すると（ステップＳ１７１）、保留メッセージ（ＩＮＦＯ）をＩＰ基地局５０Ｃに送信する（ステップＳ１７２）。
【０１９４】
ＩＰ基地局５０Ｃは、保留メッセージ（ＩＮＦＯ）を受信すると、自己のＩＰアドレス“ａ．ａ．ａ．ｃ”及びＲＴＰポート番号“ａ”を使用して、保留要求メッセージ（ＦＡＣＩＬＩＴＹ（ｒｅｍｏｔｅ．Ｈｏｌｄ．ｉｎｖ））を中継中の基地局集線ゲートウェイ４０Ａに送信する（ステップＳ１７３）。
【０１９５】
基地局集線ゲートウェイ４０Ａは、保留要求メッセージ（ＦＡＣＩＬＩＴＹ（ｒｅｍｏｔｅ．Ｈｏｌｄ．ｉｎｖ））を受信すると、中継制御部３６Ａを通じて、ＩＰ基地局５０ＣのＩＰアドレス“ａ．ａ．ａ．ｃ”及びＲＴＰポート番号“ａ”を自己のＩＰアドレス“ａ．ａ．ａ．ａ”及びＲＴＰポート番号“ｂ”に変換し（ステップＳ１７４）、この変換した自己のＩＰアドレス“ａ．ａ．ａ．ａ”及びＲＴＰポート番号“ｂ”を使用して、ＩＰ基地局５０Ｃからの保留要求メッセージ（ＦＡＣＩＬＴＹ（ｒｅｍｏｔｅ．Ｈｏｌｄ．ｉｎｖ））を発信端末８に中継送信する（ステップＳ１７５）。
【０１９６】
発信端末８は、保留要求メッセージ（ＦＡＣＩＬＩＴＹ（ｒｅｍｏｔｅ．Ｈｏｌｄ．ｉｎｖ））を受信すると、保留確認メッセージ（ＦＡＣＩＬＩＴＹ（ｒｅｍｏｔｅ．Ｈｏｌｄ．ｒｒ））を、自己のＩＰアドレス“ｂ．ｂ．ｂ．ｂ”及びＲＴＰポート番号“ｂ”を使用して、中継中の基地局集線ゲートウェイ４０Ａに送信すると共に（ステップＳ１７６）、ハンドセット２１を通じて保留音を音響出力する（ステップＳ１７７）。
【０１９７】
基地局集線ゲートウェイ４０Ａは、発信端末８からの保留確認メッセージ（ＦＡＣＩＬＩＴＹ（ｒｅｍｏｔｅ．Ｈｏｌｄ．ｒｒ））を受信すると、中継制御部３６Ａを通じて、発信端末８のＩＰアドレス“ｂ．ｂ．ｂ．ｂ”及びＲＴＰポート番号“ｂ”を自己のＩＰアドレス“ａ．ａ．ａ．ａ”及びＲＴＰポート番号“ａ”に変換し（ステップＳ１７８）、この変換した自己のＩＰアドレス“ａ．ａ．ａ．ａ”及びＲＴＰポート番号“ｂ”を使用して、発信端末８からの保留確認メッセージ（ＦＡＣＩＬＩＴＹ（ｒｅｍｏｔｅ．Ｈｏｌｄ．ｒｒ））をＩＰ基地局５０Ｃに中継送信する（ステップＳ１７９）。
【０１９８】
ＩＰ基地局５０Ｃは、保留確認メッセージ（ＦＡＣＩＬＩＴＹ（ｒｅｍｏｔｅ．Ｈｏｌｄ．ｒｒ））を受信すると、無線端末２に対して発信音を送信する（ステップＳ１８０）。
【０１９９】
そして、保留中の無線端末２は、切断操作を検出すると（ステップＳ１８１）、切断メッセージ（ＤＩＳＣＯＮＮＥＣＴ）をＩＰ基地局５０Ｃに送信する（ステップＳ１８２）。
【０２００】
ＩＰ基地局５０Ｃは、保留中の無線端末２からの切断メッセージ（ＤＩＳＣＯＮＮＥＣＴ）を受信すると、解放要求メッセージ（ＲＥＬＥＡＳＥ）を無線端末２に送信する（ステップＳ１８３）。
【０２０１】
無線端末２は、ＩＰ基地局５０Ｃからの解放要求メッセージ（ＲＥＬＥＡＳＥ）を受信すると、解放完了メッセージ（ＲＥＬＣＯＭＰ）をＩＰ基地局５０Ｃに送信する（ステップＳ１８４）。
【０２０２】
ＩＰ基地局５０Ｃは、無線端末２からの解放要求メッセージ（ＲＥＬＣＯＭＰ）を受信すると、自己のＩＰアドレス“ａ．ａ．ａ．ｃ”及びＲＴＰポート番号“ａ”を使用して、解放完了メッセージ（ＲＥＬＣＯＭＰ）を中継中の基地局集線ゲートウェイ４０Ａに送信する（ステップＳ１８５）。
【０２０３】
基地局集線ゲートウェイ４０Ａは、ＩＰ基地局５０Ｃからの解放完了メッセージ（ＲＥＬＣＯＭＰ）を受信すると、中継制御部３６Ａを通じて、ＩＰ基地局５０ＣのＩＰアドレス“ａ．ａ．ａ．ｃ”及びＲＴＰポート番号“ａ”を自己のＩＰアドレス“ａ．ａ．ａ．ａ”及びＲＴＰポート番号“ｂ”に変換し（ステップＳ１８６）、この変換した自己のＩＰアドレス“ａ．ａ．ａ．ａ”及びＲＴＰポート番号“ｂ”を使用して、ＩＰ基地局５０Ｃからの解放完了メッセージ（ＲＥＬＣＯＭＰ）を発信端末８に中継送信する（ステップＳ１８７）。その結果、ＩＰ基地局５０Ｃ及び基地局集線ゲートウェイ４０Ａ経由で発信端末８及び無線端末２間の保留は切断されることになる。
【０２０４】
このように図１８に示す動作シーケンスによれば、例えばＩＰ基地局５０Ｃ及び基地局集線ゲートウェイ４０Ａを通じて発信端末８及び無線端末２間の音声通信中に、無線端末２側の保留操作に伴う保留要求メッセージ等の制御メッセージが発生した場合、基地局集線ゲートウェイ４０Ａ側の中継制御部３６は、自己のＩＰアドレス及びＲＴＰポート番号を使用して制御メッセージを中継し、発信端末８及び無線端末２間の制御メッセージの送受信を行うことができる。
【０２０５】
第４の実施の形態によれば、位置情報管理部１２を端末管理サーバ７Ｂに配置し、発信端末８から無線端末２への発信操作を検出すると、端末管理サーバ７Ｂ側で同無線端末２の位置情報である基地局集線ゲートウェイ４０又はＩＰ基地局５０のＩＰアドレスを位置情報管理部１２から検索し、このＩＰアドレスを発信端末８に通知し、発信端末８側では同ＩＰアドレスに基づき基地局集線ゲートウェイ４０又はＩＰ基地局５０に対して発信メッセージ（ＳＥＴＵＰ）を報知すると共に、同発信メッセージ（ＳＥＴＵＰ）を受信した基地局集線ゲートウェイ４０又はＩＰ基地局５０側では、発信メッセージ（ＳＥＴＵＰ）を受信すると、グループ内アドレス管理部３５に管理中の全ＩＰアドレスに基づき、無線端末２への着信メッセージの発報を指示すべく、発信メッセージ（ＳＥＴＵＰ）を同一呼出エリアグループ内の基地局集線ゲートウェイ４０及び／又はＩＰ基地局５０に対して中継するようにしたので、基地局集線ゲートウェイ４０又はＩＰ基地局５０では、発信端末８から受信した発信メッセージ（ＳＥＴＵＰ）を、同一呼出エリアグループ内の他の基地局集線ゲートウェイ４０及び／又はＩＰ基地局５０に中継することができると共に、位置情報管理部１２の管理及び位置情報検索部１６の処理を端末管理サーバ７Ｂに、グループ内アドレス管理部３５の管理及び発信メッセージ（ＳＥＴＵＰ）の中継負担を基地局集線ゲートウェイ４０又はＩＰ基地局５０に負担させることで、端末管理サーバ７Ｂ側の負担を大幅に軽減することができる。
【０２０６】
また、第４の実施の形態によれば、着信メッセージに対する無線端末２からの着信応答（着呼応答）メッセージを同一呼出エリアグループ内の他の基地局集線ゲートウェイ４０又はＩＰ基地局５０が受信した場合、同基地局集線ゲートウェイ４０又はＩＰ基地局５０にて受信した無線端末からの着信応答メッセージを、中継制御部３６Ａを通じて、発信端末８に対して中継するようにしたので、中継制御部３６Ａは、同一呼出エリアグループ内の他の基地局集線ゲートウェイ４０又はＩＰ基地局５０が受信した無線端末２からの着信応答メッセージを、発信端末８に中継することができる。
【０２０７】
また、第４の実施の形態によれば、中継制御部３６Ａを通じて、着信応答メッセージ受信後の通信確立から通信終了までの全ての制御メッセージを中継するようにしたので、中継制御部３６Ａは、着信応答メッセージ受信後の通信確立から通信終了までの全ての制御メッセージを中継することができる。
【０２０８】
また、第４の実施の形態によれば、基地局集線ゲートウェイ４０又はＩＰ基地局５０と、発信端末８との間の通信に使用するＩＰアドレス及びポート番号を自己のＩＰアドレス及びＲＴＰポート番号に置換して、全ての制御メッセージを中継するようにしたので、基地局集線ゲートウェイ４０又はＩＰ基地局５０と、発信端末８とは、中継制御部３６Ａを通じて、全ての制御メッセージを送受信することができる。
【０２０９】
尚、上記第３及び第４の実施の形態においては、発信端末８から無線端末２へ発信する場合、例えば基地局集線ゲートウェイ４０Ａを中継して無線端末２が着信応答したＩＰ基地局５０Ｃを通じて発信端末８及び無線端末２間の音声通信を確立するようにしたが、次に説明するようにしても良く、第５の実施の形態として説明する。尚、第３及び第４の実施の形態に関わるＩＰ通信システム１と同一の構成については同一符号を付すことで、その重複する構成及び動作の説明については省略する。
【０２１０】
（実施の形態５）
第５の実施の形態を示すＩＰ通信システム１が第３及び第４の実施の形態と異なるところは、基地局集線ゲートウェイ４０（４００）及びＩＰ基地局５０（５００）の内部構成にある。
【０２１１】
図１９は第５の実施の形態に関わる基地局集線ゲートウェイ４００内部の概略構成を示すブロック図である。
【０２１２】
図１９に示す基地局集線ゲートウェイ４００は、ゲートウェイ側通信インタフェース３１、基地局通信インタフェース３２、ゲートウェイ側制御部３３及びゲートウェイ側通信制御部３４の他に、自己が所属する呼出エリアグループ内の他の全ての基地局集線ゲートウェイ４００及び／又はＩＰ基地局５００のＩＰアドレスを管理するグループ内アドレス管理部３５を備えている。
【０２１３】
ゲートウェイ側通信制御部３４には、発信端末８側の発信メッセージ報知部２７からの発信メッセージ（ＳＥＴＵＰ）を受信すると、グループ内アドレス管理部３５に管理中の全ＩＰアドレスに基づき、無線端末２への着信メッセージの発報を指示すべく、中継着信通知メッセージ（ＮＳＭ）を、同一呼出エリアグループ内の基地局集線ゲートウェイ４００及び／又はＩＰ基地局５００に対して代理発信する代理通信部３７を備えている。
【０２１４】
また、代理通信部３７は、中継相手先から制御メッセージを受信すると、この制御メッセージを、次の中継相手先に代理発信するものである。
【０２１５】
尚、第５の実施の形態は、本願請求項１、２、１１及び１２記載の内容に相当し、これら請求項記載のＩＰ通信システムはＩＰ通信システム１、無線端末は無線端末２、基地局は基地局３、基地局集線ゲートウェイは基地局集線ゲートウェイ４００、ＩＰ基地局はＩＰ基地局５００、ＩＰネットワークはＩＰネットワーク６、端末管理サーバは端末管理サーバ７Ｂ、グループ設定手段はグループ設定部１４、発信報知手段は発信端末８、発信側ゲートウェイ９及び端末管理サーバ７Ｂ、通信確立手段は基地局集線ゲートウェイ４００及びＩＰ基地局５００、位置情報管理手段は位置情報管理部１２、アドレス要求手段はアドレス要求部２６、位置情報検索手段は位置情報検索部１６、ＩＰアドレス通知手段はＩＰアドレス通知部１８Ｂ、発信メッセージ報知手段は発信メッセージ報知部２７、グループ内アドレス管理手段はグループ内アドレス管理部３５、代理通信手段は代理通信部３７、再発信要求手段は代理通信部３７、位置登録要求手段はゲートウェイ側通信制御部３４、位置情報登録手段は位置登録更新部１５Ｂに相当するものである。
【０２１６】
次に第５の実施の形態を示すＩＰ通信システム１の動作について説明する。図２０乃至図２３は第５の実施の形態を示すＩＰ通信システム１内部の発信端末８から無線端末２のへの発信操作から通信確立までの処理動作を示す動作シーケンス図である。
【０２１７】
尚、説明の便宜上、発信端末８から電話番号“２０００”番の“Ｘ”の無線端末２へ発信した場合を想定し、この“Ｘ”の無線端末２は、基地局集線ゲートウェイ４００Ａ（ＩＰアドレス：“ａ．ａ．ａ．ａ”）、基地局集線ゲートウェイ４００Ｂ（ＩＰアドレス：“ａ．ａ．ａ．ｂ”）及びＩＰ基地局５００Ｃ（ＩＰアドレス：“ａ．ａ．ａ．ｃ”）の呼出エリア群で構成するグループ番号“１”の呼出エリアグループ内に位置し、同呼出エリアグループ内の基地局集線ゲートウェイ４００ＡのＩＰアドレスを位置情報として登録しているものとする。
【０２１８】
また、基地局集線ゲートウェイ４００は、自己が収容する基地局３を通じて無線端末２に対して各種メッセージを送受信するものであるが、説明の便宜上、その基地局３の動作については省略する。
【０２１９】
図２０に示す発信端末８は、操作部２２を通じて、電話番号“２０００”番の無線端末２への発信操作を検出すると（ステップＳ２０１）、アドレス要求部２６を通じて同電話番号“２０００”番の無線端末２の位置情報を要求するアドレス要求メッセージ（ＡＲＱ）を端末管理サーバ７Ｂに通知する（ステップＳ２０２）。
【０２２０】
端末管理サーバ７Ｂは、発信端末８からのアドレス要求メッセージ（ＡＲＱ）を受信すると、位置情報検索部１６を通じて、このアドレス要求メッセージ（ＡＲＱ）に含まれる電話番号“２０００”の無線端末２の位置情報、すなわち同無線端末２を無線収容する基地局集線ゲートウェイ４００又はＩＰ基地局５００のＩＰアドレスを位置情報管理部１２から検索し（ステップＳ２０３）、その結果、電話番号“２０００”に対応した基地局集線ゲートウェイ４００ＡのＩＰアドレス“ａ．ａ．ａ．ａ”を取得することになる。
【０２２１】
端末管理サーバ７Ｂは、位置情報検索部１６の検索結果、同無線端末２の位置情報（ＩＰアドレス）を含むアドレス確認メッセージ（ＡＣＦ）を、ＩＰアドレス通知部１８Ｂを通じて発信端末８に送信する（ステップＳ２０４）。
【０２２２】
発信端末８は、端末管理サーバ７Ｂ側のＩＰアドレス通知部１８Ｂからのアドレス確認メッセージ（ＡＣＦ）を受信すると、このアドレス確認メッセージ（ＡＣＦ）に含まれるＩＰアドレスに基づき、発信メッセージ報知部２７を通じて発信メッセージ（ＳＥＴＵＰ）を基地局集線ゲートウェイ４００Ａに発信する（ステップＳ２０５）。
【０２２３】
基地局集線ゲートウェイ４００Ａは、発信端末８からの発信メッセージ（ＳＥＴＵＰ）を受信すると、この発信メッセージ（ＳＥＴＵＰ）を受け付けたことを示す発信受付メッセージ（ＣＡＬＬＰＲＯＣ）を発信端末８に送信すると共に（ステップＳ２０６）、無線端末２への着信メッセージを発報する（ステップ２０７）。
【０２２４】
さらに、基地局集線ゲートウェイ４００Ａは、グループ内アドレス管理部３５に管理中の同一呼出エリアグループ内の基地局集線ゲートウェイ４００及び／又はＩＰ基地局５００、すなわち基地局集線ゲートウェイ４００Ｂ及びＩＰ基地局５００ＣのＩＰアドレスを読み出し（ステップＳ２０８）、これらＩＰアドレスに基づき、無線端末２への着信メッセージの発報を指示すべく、代理通信部３７を通じて、中継着信通知メッセージ（ＮＳＭ）を基地局集線ゲートウェイ４００Ｂ及びＩＰ基地局５００Ｃに通知する（ステップＳ２０９）。
【０２２５】
基地局集線ゲートウェイ４００Ｂ及びＩＰ基地局５００Ｃは、基地局集線ゲートウェイ４００Ａからの中継着信通知メッセージ（ＮＳＭ）を受信すると、無線端末２への着信メッセージを発報する（ステップＳ２１０）。
【０２２６】
図２１において同一呼出エリアグループ内の全ての基地局集線ゲートウェイ４００Ａ、４００Ｂ及びＩＰ基地局５００Ｃは、ステップＳ２０７及びステップＳ２１０にて無線端末２への着信メッセージの発報中に、例えばＩＰ基地局５００Ｃが無線端末２から着信メッセージに応答する着信応答（着呼応答）メッセージを受信した場合（ステップＳ２１１）、ＩＰ基地局５００Ｃは、発信メッセージ（ＳＥＴＵＰ）を無線端末２に送信する（ステップＳ２１２）。
【０２２７】
無線端末２は、着信応答（着呼応答）メッセージを受信したＩＰ基地局５００Ｃからの発信メッセージ（ＳＥＴＵＰ）を受信すると、発信メッセージ（ＳＥＴＵＰ）に対する発信受付メッセージ（ＣＡＬＬＰＲＯＣ）を送信し（ステップＳ２１３）、さらに呼出中メッセージ（ＡＬＥＲＴ）をＩＰ基地局５００Ｃに送信し（ステップＳ２１４）、呼出音を鳴動出力するものである（ステップＳ２１５）。
【０２２８】
ＩＰ基地局５００Ｃは、無線端末２からの呼出中メッセージ（ＡＬＥＲＴ）を受信すると、同無線端末２の位置情報を更新すべく、同無線端末２の位置情報として同ＩＰ基地局５００Ｃの自己のＩＰアドレス“ａ．ａ．ａ．ｃ”を含む位置登録要求メッセージ（ＲＲＱ）を端末管理サーバ７Ｂに送信する（ステップＳ２１６）。
【０２２９】
端末管理サーバ７Ｂは、ＩＰ基地局５００Ｃからの位置登録要求メッセージ（ＲＲＱ）を受信すると、この位置登録要求メッセージ（ＲＲＱ）に含まれる無線端末２の位置情報を、位置登録更新部１５Ｂを通じて位置情報管理部１２に登録更新する（ステップＳ２１７）。その結果、位置情報管理部１２は、“Ｘ”の無線端末２の位置情報としてＩＰ基地局５０ＣのＩＰアドレス“ａ．ａ．ａ．ｃ”に登録更新することになる。
【０２３０】
端末管理サーバ７Ｂは、位置情報管理部１２の登録更新動作が完了すると、位置登録完了メッセージ（ＲＣＦ）をＩＰ基地局５００Ｃに送信する（ステップＳ２１８）。
【０２３１】
ＩＰ基地局５００Ｃは、位置登録完了メッセージ（ＲＣＦ）を受信すると、無線端末２との通話相手先の発信端末８のＩＰアドレスを要求するアドレス要求メッセージ（ＡＲＱ）を端末管理サーバ７Ｂに送信する（ステップＳ２１９）。
【０２３２】
端末管理サーバ７Ｂは、ＩＰ基地局５００Ｃからのアドレス要求メッセージ（ＡＲＱ）を受信すると、このアドレス要求メッセージ（ＡＲＱ）に含まれる発信端末８の電話番号に対応するＩＰアドレスを検索し、この検索結果のＩＰアドレスを含むアドレス確認メッセージ（ＡＣＦ）をＩＰ基地局５００Ｃに送信する（ステップＳ２２０）。
【０２３３】
ＩＰ基地局５００Ｃは、アドレス確認メッセージ（ＡＣＦ）を受信すると、中継着信通知を報知した基地局集線ゲートウェイ４００Ａに対して中継着信応答メッセージ（ＮＳＭ）を通知する（ステップＳ２２１）。
【０２３４】
基地局集線ゲートウェイ４００Ａは、中継着信応答メッセージ（ＮＳＭ）を受信すると、代理通信部３７を通じて、無線端末２側の呼出中メッセージ（ＡＬＥＲＴ）を発信端末８に送信する（ステップＳ２２２）。
【０２３５】
発信端末８は、呼出中メッセージ（ＡＬＥＲＴ）を受信すると、ハンドセット２１を通じてリングバックトーンを音響出力する（ステップＳ２２３）。
【０２３６】
図２２において無線端末２は、ステップＳ２１５にて呼出音の鳴動出力中に応答操作を検出すると（ステップＳ２３１）、接続要求メッセージ（ＣＯＮＮＥＣＴ）をＩＰ基地局５００Ｃに送信する（ステップＳ２３２）。
【０２３７】
ＩＰ基地局５００Ｃは、無線端末２からの接続要求メッセージ（ＣＯＮＮＥＣＴ）を受信すると、同無線端末２からの接続要求メッセージ（ＣＯＮＮＥＣＴ）に対する接続要求応答メッセージ（ＣＯＮＮＥＣＴ  ＡＣＫ）を無線端末２に送信すると共に（ステップＳ２３３）、発信メッセージ（ＳＥＴＵＰ（中継着信応答：Ｐｉｃｋｒｅｑ．ｉｎｖ相当））を基地局集線ゲートウェイ４００Ａに送信する（ステップＳ２３４）。
【０２３８】
基地局集線ゲートウェイ４００Ａは、発信メッセージ（ＳＥＴＵＰ（中継着信応答：Ｐｉｃｋｒｅｑ．ｉｎｖ相当））を受信すると、この発信メッセージ（ＳＥＴＵＰ）を受け付けたことを示す発信受付メッセージ（ＣＡＬＬＰＲＯＣ）をＩＰ基地局５００Ｃに送信すると共に（ステップＳ２３５）、代理通信部３７を通じて、発信端末８に対してＩＰ基地局５００Ｃへの発信メッセージ（ＳＥＴＵＰ）を再度要求する再発信要求メッセージに相当するＦＡＣＩＬＩＴＹ（中継着信応答：Ｐｉｃｋｒｅｑ．ｉｎｖ相当）を発信端末８に発信する（ステップＳ２３６）。
【０２３９】
発信端末８は、ＦＡＣＩＬＩＴＹ（中継着信応答：Ｐｉｃｋｒｅｑ．ｉｎｖ相当）を受信すると、このＦＡＣＬＩＴＹに応答するＦＡＣＩＬＩＴＹ（中継着信応答：Ｐｉｃｋｕｐ．ｒｒ相当）を基地局集線ゲートウェイ４００Ａに送信する（ステップＳ２３７）。
【０２４０】
基地局集線ゲートウェイ４００Ａは、ＦＡＣＩＬＩＴＹ（中継着信応答：Ｐｉｃｋｕｐ．ｒｒ相当）を受信すると、代理通信部３７を通じて、ＩＰ基地局５００Ｃとの接続を解放する解放完了メッセージ（ＲＥＬＣＯＭＰ：中継着信応答：Ｐｉｃｋｒｅｑ．ｒｒ相当）をＩＰ基地局５００Ｃに送信する（ステップＳ２３８）。その結果、基地局集線ゲートウェイ４００Ａ及びＩＰ基地局５００Ｃ間の通信を切断することになる。
【０２４１】
さらに、発信端末８は、ステップＳ２３７にて基地局集線ゲートウェイ４００Ａに対してＦＡＣＩＬＩＴＹ（中継着信応答：Ｐｉｃｋｕｐ．ｒｒ相当）を送信した後、基地局集線ゲートウェイ４００Ａとの呼接続を解放すべく、解放完了メッセージ（ＲＥＬＣＯＭＰ）を基地局集線ゲートウェイ４００Ａに送信すると共に（ステップＳ２３９）、端末管理サーバ７Ｂに対して、基地局集線ゲートウェイ４００Ａとの通信を切断する切断要求メッセージ（ＤＲＱ）を送信する（ステップＳ２４０）。
【０２４２】
基地局集線ゲートウェイ４００Ａは、発信端末８からの解放完了メッセージ（ＲＥＬＣＯＭＰ）を受信すると、端末管理サーバ７Ｂに対して、発信端末８との通信を切断する切断要求メッセージ（ＤＲＱ）を送信する（ステップＳ２４１）。
【０２４３】
端末管理サーバ７Ｂは、ステップＳ２４０及びステップＳ２４１の切断要求メッセージ（ＤＲＱ）を受信すると、発信端末８及び基地局集線ゲートウェイ４００Ａに対して切断要求確認メッセージ（ＤＣＦ）を送信する（ステップＳ２４２）。その結果、基地局集線ゲートウェイ４００Ａ及び発信端末８間の呼接続を切断するものである。
【０２４４】
さらに、図２３において発信端末８は、図２２に示すステップＳ２４２にて切断要求確認メッセージ（ＤＣＦ）を受信した後、基地局集線ゲートウェイ４００Ａとの呼接続を切断すると、図２２に示すステップＳ２３６の再発信要求メッセージに応じて呼出中の無線端末２に対して再度発信すべく、再発信処理を開始し（ステップＳ２５１）、アドレス要求部２６を通じて同電話番号“２０００”番の無線端末２の位置情報を要求するアドレス要求メッセージ（ＡＲＱ）を端末管理サーバ７Ｂに通知する（ステップＳ２５２）。
【０２４５】
端末管理サーバ７Ｂは、発信端末８からのアドレス要求メッセージ（ＡＲＱ）を受信すると、位置情報検索部１６を通じて、このアドレス要求メッセージ（ＡＲＱ）に含まれる電話番号“２０００”の無線端末２の位置情報、すなわち同無線端末２を無線収容する基地局集線ゲートウェイ４００又はＩＰ基地局５００のＩＰアドレスを位置情報管理部１２から検索し（ステップＳ２５３）、その結果、同無線端末２の位置情報が図２１に示すステップＳ２１７にて登録更新されていることから、電話番号“２０００”に対応したＩＰ基地局５００ＣのＩＰアドレス“ａ．ａ．ａ．ｃ”を取得することになる。
【０２４６】
端末管理サーバ７Ｂは、位置情報検索部１６の検索結果、同無線端末２の位置情報（ＩＰアドレス）を含むアドレス確認メッセージ（ＡＣＦ）を、ＩＰアドレス通知部１８Ｂを通じて発信端末８に送信する（ステップＳ２５４）。
【０２４７】
発信端末８は、端末管理サーバ７Ｂ側のＩＰアドレス通知部１８Ｂからのアドレス確認メッセージ（ＡＣＦ）を受信すると、このアドレス確認メッセージ（ＡＣＦ）に含まれるＩＰアドレスに基づき、発信メッセージ報知部２７を通じて、発信メッセージ（ＳＥＴＵＰ（中継着信応答：Ｐｉｃｋｅｘｅ．ｉｎｖ相当））をＩＰ基地局５００Ｃに送信する（ステップＳ２５５）。
【０２４８】
ＩＰ基地局５００Ｃは、発信端末８からの発信メッセージ（ＳＥＴＵＰ（中継着信応答：Ｐｉｃｋｅｘｅ．ｉｎｖ相当））を受信すると、発信メッセージを受け付けたことを示す発信受付メッセージ（ＣＡＬＬＰＲＯＣ）を発信端末８に送信すると共に（ステップＳ２５６）、呼出中の無線端末２の通話相手先の発信端末８のＩＰアドレスを要求するアドレス要求メッセージ（ＡＲＱ）を端末管理サーバ７Ｂに送信する（ステップＳ２５７）。
【０２４９】
端末管理サーバ７Ｂは、アドレス要求メッセージ（ＡＲＱ）を受信すると、このアドレス要求に含まれる発信端末８の電話番号に対応するＩＰアドレスを検索し、この検索結果のＩＰアドレスを含むアドレス確認メッセージ（ＡＣＦ）をＩＰ基地局５００Ｃに送信する（ステップＳ２５８）。
【０２５０】
ＩＰ基地局５００Ｃは、アドレス確認メッセージ（ＡＣＦ）を受信すると、このアドレス確認メッセージ（ＡＣＦ）に含まれるＩＰアドレスに基づき、発信メッセージ（ＳＥＴＵＰ（中継着信応答：Ｐｉｃｋｅｘｅ．ｉｎｖ相当））を発信した発信端末８に対して接続要求（ＣＯＮＮＥＣＴ（中継着信応答：Ｐｉｃｋｕｐｅｘｅ．ｒｒ相当））を送信する（ステップＳ２５９）。
【０２５１】
発信端末８は、図２１のステップＳ２２３にて音響出力中のリングバックトーンの音響出力を停止し（ステップＳ２６０）、ＩＰ基地局５００Ｃとの通信を確立すると共に（ステップＳ２６１）、ＩＰ基地局５００Ｃ及び無線端末２間の通信を確立することで（ステップＳ２６２）、ＩＰ基地局５００Ｃ経由で発信端末８及び無線端末２間の音声通信を確立することができる。
【０２５２】
第５の実施の形態によれば、位置情報管理部１２を端末管理サーバ７Ｂに配置し、発信端末８から無線端末２への発信操作を検出すると、端末管理サーバ７Ｂ側で同無線端末２の位置情報である基地局集線ゲートウェイ４００又はＩＰ基地局５００のＩＰアドレスを位置情報管理部１２から検索し、このＩＰアドレスを発信端末８に通知し、発信端末８側では同ＩＰアドレスに基づき基地局集線ゲートウェイ４００又はＩＰ基地局５００に対して発信メッセージ（ＳＥＴＵＰ）を報知すると共に、同発信メッセージ（ＳＥＴＵＰ）を受信した基地局集線ゲートウェイ４００又はＩＰ基地局５００側では、発信メッセージ（ＳＥＴＵＰ）を受信すると、代理通信部３７を通じて、グループ内アドレス管理部３５に管理中の全ＩＰアドレスに基づき、発信メッセージ（ＳＥＴＵＰ）を同一呼出エリアグループ内の基地局集線ゲートウェイ４００及び／又はＩＰ基地局５００に対して代理発信すると共に、着信メッセージに対する無線端末２からの着信応答メッセージを同一呼出エリアグループ内の他の基地局集線ゲートウェイ４００又はＩＰ基地局５００が受信した場合、代理通信部３７を通じて、発信メッセージを報知した発信端末８に対して再発信要求メッセージを送信し、発信端末８側では、再発信要求メッセージを受信すると、無線端末２からの着信応答メッセージを受信した基地局集線ゲートウェイ４００又はＩＰ基地局５００に対して、同無線端末２との通信を確立すべく、発信メッセージを再報知するようにしたので、基地局集線ゲートウェイ４００又はＩＰ基地局５００では、発信端末８から受信した発信メッセージ（ＳＥＴＵＰ）を、同一呼出エリアグループ内の他の基地局集線ゲートウェイ４００及び／又はＩＰ基地局５００に代理発信することができると共に、発信端末８は、再発信要求メッセージに応じて、無線端末２からの着信応答メッセージを受信した基地局集線ゲートウェイ４００又はＩＰ基地局５００とダイレクトに通信を行うことができる。
【０２５３】
また、第５の実施の形態によれば、端末管理サーバ７Ｂ側では、基地局集線ゲートウェイ４００又はＩＰ基地局５００側の位置登録要求メッセージ（ＲＲＱ）を受信すると、同基地局集線ゲートウェイ４００又はＩＰ基地局５００のＩＰアドレスを同無線端末２の位置情報として位置情報管理部１２に登録更新し、発信端末８側は、基地局集線ゲートウェイ４００又はＩＰ基地局５００側からの再発信要求メッセージを受信すると、着信応答メッセージに関わる無線端末２の電話番号に対応する位置情報としてのＩＰアドレスを要求するアドレス要求メッセージ（ＡＲＱ）を端末管理サーバ７Ｂに送信し、端末管理サーバ７Ｂ側は、アドレス要求メッセージ（ＡＲＱ）を受信すると、同無線端末２の電話番号に対応する、同無線端末２の位置情報である基地局集線ゲートウェイ４００又はＩＰ基地局５００のＩＰアドレスを位置情報管理部１２から検索し、このＩＰアドレスを発信端末８に通知し、発信端末８は、このＩＰアドレスに基づき、無線端末２の着信応答メッセージを受信した基地局集線ゲートウェイ４００又はＩＰ基地局５００に対して発信メッセージ（ＳＥＴＵＰ）を再報知し、基地局集線ゲートウェイ４００又はＩＰ基地局５００側では、再報知された発信メッセージを受信すると、着信応答メッセージを報知した無線端末２と発信端末８との間の通信を確立するようにしたので、発信端末８は、再発信要求メッセージに応じて、無線端末２からの着信応答メッセージを受信した基地局集線ゲートウェイ４００又はＩＰ基地局５００とダイレクトに音声通信を行うことができる。
【０２５４】
尚、上記第１乃至第５の実施の形態においては、発信端末８（８Ａ）から無線端末２への発信操作に応じて同無線端末２を無線収容する呼出エリアグループ内の全ての基地局集線ゲートウェイ４（４０，４００）及び／又はＩＰ基地局５（５０，５００）を通じて着信メッセージを発報する例について説明したが、例えば発信端末８（８Ａ）ではなく、図示せぬ発信側無線端末を無線収容する発信側ゲートウェイ９経由で無線端末２への発信操作を検出したとしても、同様の効果が得られることは言うまでもない。
【０２５５】
また、上記第１乃至第５の実施の形態においては、基地局集線ゲートウェイ４（４０，４００）を通じて発信メッセージ（ＳＥＴＵＰ）を中継若しくは代理発信する例を挙げて説明したが、ＩＰ基地局５（５０，５００）を通じて中継若しくは代理発信するようにしても同様の効果が得られることは言うまでもない。
【産業上の利用可能性】
【０２５６】
本発明のＩＰ通信システムによれば、基地局集線ゲートウェイ及び／又はＩＰ基地局で呼出エリアグループを設定したとしても、同一呼出エリアグループ内の無線端末への発信から通信確立までの処理動作を確実に実現することができる、例えば大規模ネットワークシステムのＩＰ通信システムに有用である。
【図面の簡単な説明】
【０２５７】
【図１】本発明の第１の実施の形態を示すＩＰ通信システム内部の概略構成を示すブロック図
【図２】第１の実施の形態に関わる端末管理サーバ内部の概略構成を示すブロック図
【図３】第１の実施の形態に関わる発信端末内部の概略構成を示すブロック図
【図４】第１の実施の形態に関わる基地局集線ゲートウェイ内部の概略構成を示すブロック図
【図５】第１の実施の形態に関わるＩＰ基地局内部の概略構成を示すブロック図
【図６】第１の実施の形態に関わる発信端末から無線端末への発信操作から通信確立までの処理動作を示す動作シーケンス図
【図７】第１の実施の形態に関わる発信端末から無線端末への発信操作から通信確立までの処理動作を示す動作シーケンス図
【図８】第２の実施の形態に関わる端末管理サーバ内部の概略構成を示すブロック図
【図９】第２の実施の形態に関わる発信端末内部の概略構成を示すブロック図
【図１０】第２の実施の形態に関わる発信端末から無線端末への発信操作から通信確立までの処理動作を示す動作シーケンス図
【図１１】第３の実施の形態に関わる発信端末から無線端末への発信操作から通信確立までの処理動作を示す動作シーケンス図
【図１２】第３の実施の形態に関わる基地局集線ゲートウェイ内部の概略構成を示すブロック図
【図１３】第３の実施の形態に関わる発信端末から無線端末への発信操作から通信確立までの処理動作を示す動作シーケンス図
【図１４】第３の実施の形態に関わる発信端末から無線端末への発信操作から通信確立までの処理動作を示す動作シーケンス図
【図１５】第３の実施の形態に関わる発信端末及び無線端末間の音声通信中の保留操作から通信切断までの処理動作を示す動作シーケンス図
【図１６】第４の実施の形態に関わる発信端末から無線端末への発信操作から通信確立までの処理動作を示す動作シーケンス図
【図１７】第４の実施の形態に関わる発信端末から無線端末への発信操作から通信確立までの処理動作を示す動作シーケンス図
【図１８】第４の実施の形態に関わる発信端末及び無線端末間の音声通信中の保留操作から通信切断までの処理動作を示す動作シーケンス図
【図１９】第５の実施の形態に関わる基地局集線ゲートウェイ内部の概略構成を示すブロック図
【図２０】第５の実施の形態に関わる発信端末から無線端末への発信操作から通信確立までの処理動作を示す動作シーケンス図
【図２１】第５の実施の形態に関わる発信端末から無線端末への発信操作から通信確立までの処理動作を示す動作シーケンス図
【図２２】第５の実施の形態に関わる発信端末から無線端末への発信操作から通信確立までの処理動作を示す動作シーケンス図
【図２３】第５の実施の形態に関わる発信端末から無線端末への発信操作から通信確立までの処理動作を示す動作シーケンス図
【符号の説明】
【０２５８】
１  ＩＰ通信システム
２  無線端末
３  基地局
４，４０，４００  基地局集線ゲートウェイ（発信報知手段及び通信確立手段）
５，５０，５００  ＩＰ基地局（発信報知手段及び通信確立手段）
６  ＩＰネットワーク
７，７Ａ、７Ｂ  端末管理サーバ（発信報知手段）
８，８Ａ  発信端末（発信報知手段）
９  発信側ゲートウェイ
１２  位置情報管理部（位置情報管理手段）
１３  グループ管理部（グループ管理手段）
１３Ａ  端末側グループ管理部（グループ管理手段）
１４  グループ設定部（グループ設定手段）
１５Ｂ  位置登録更新部（位置情報登録手段）
１６  位置情報検索部（位置情報検索手段）
１７  グループ検索部（グループ検索手段）
１７Ａ  端末側グループ検索部（グループ検索手段）
１８，１８Ａ，１８Ｂ  ＩＰアドレス通知部（ＩＰアドレス通知手段）
２６  アドレス要求部（アドレス要求手段）
２７  発信メッセージ報知部（発信メッセージ報知手段）
３４  ゲートウェイ側通信制御部（位置登録要求手段）
３５  グループ内アドレス管理部（グループ内アドレス管理手段）
３６，３６Ａ  中継制御部（中継手段）
３７  代理通信部（代理通信手段及び再発信要求手段）
【図１】
2008311716.tif 000003
【図２】
2008311716.tif 000004
【図３】
2008311716.tif 000005
【図４】
2008311716.tif 000006
【図５】
2008311716.tif 000007
【図６】
2008311716.tif 000008
【図７】
2008311716.tif 000009
【図８】
2008311716.tif 000010
【図９】
2008311716.tif 000011
【図１０】
2008311716.tif 000012
【図１１】
2008311716.tif 000013
【図１２】
2008311716.tif 000014
【図１３】
2008311716.tif 000015
【図１４】
2008311716.tif 000016
【図１５】
2008311716.tif 000017
【図１６】
2008311716.tif 000018
【図１７】
2008311716.tif 000019
【図１８】
2008311716.tif 000020
【図１９】
2008311716.tif 000021
【図２０】
2008311716.tif 000022
【図２１】
2008311716.tif 000023
【図２２】
2008311716.tif 000024
【図２３】
2008311716.tif 000025